(57)【要約】  本発明は、試料中の標的ポリペプチドの絶対量を測定する方法であって、以下の工程：（ａ）前記試料に（ａａ）（ｉ）少なくとも１つのタグ配列及び（ｉｉ）標的ポリペプチドの部分配列を含む融合ポリペプチドを添加し、（ａｂ）前記試料に（ａａ）による前記タグ配列を含む又はからなるタグポリペプチドの既知の絶対量を添加して、一方の前記融合ポリペプチドが他方の前記標的ポリペプチド及び前記タグポリペプチドと比較して質量変更される、例えば一方の前記融合ポリペプチドと、他方の前記標的ポリペプチド及び前記タグポリペプチドとが、異なって同位体標識される工程；（ｂ）工程（ａ）で得た混合物のタンパク質分解性消化を実施する工程；（ｃ）場合によりクロマトグラフィーの後、工程（ｂ）のタンパク質分解性消化の結果を、質量分光分析に付す工程；並びに（ｄ）前記標的ポリペプチドの絶対量を（ｉ）前記融合ポリペプチド、前記タグポリペプチド及び前記標的ポリペプチドの工程（ｃ）で得た質量スペクトルのピーク強度及び（ｉｉ）前記タグポリペプチドの前記既知絶対量から決定する工程を含む方法を提供する。【特許請求の範囲】
【請求項１】
試料において標的ポリペプチドの絶対量を決定する方法であって、以下の工程：
（ａ）（ａａ）（ｉ）少なくとも１つのタグ配列及び（ｉｉ）標的ポリペプチドの部分配列を含む融合ポリペプチドを前記試料に添加し、
（ａｂ）前記試料に（ａａ）による前記タグ配列を含む又はからなるタグポリペプチドの既知絶対量を添加して、
一方の前記融合ポリペプチドが、他方の前記標的ポリペプチド及び前記タグポリペプチドと比較して質量変更される、例えば一方の前記融合ポリペプチドと、他方の前記標的ポリペプチド及び前記タグポリペプチドとが、異なって同位体標識される工程；
（ｂ）工程（ａ）で得た混合物のタンパク質分解性消化を実施する工程；
（ｃ）場合によりクロマトグラフィーの後、工程（ｂ）のタンパク質分解性消化の結果を、質量分光分析に付す工程；並びに
（ｄ）前記標的ポリペプチドの絶対量を（ｉ）前記融合ポリペプチド、前記タグポリペプチド及び前記標的ポリペプチドの工程（ｃ）で得た質量スペクトルのピーク強度及び（ｉｉ）前記タグポリペプチドの前記既知絶対量から決定する工程
を含む方法。
【請求項２】
定量基準を作り出す方法であって、以下の工程：
（ａ）１個又は複数の融合ポリペプチドを準備し、１個の融合ポリペプチド又はそれぞれの前記融合ポリペプチドが、それぞれ、（ｉ）少なくとも１つのタグ配列及び（ｉｉ）定量的に測定される標的ポリペプチドの部分配列を含み、前記複数の融合ポリペプチドが準備される限り、全ての融合ポリペプチドが少なくとも１つのタグ配列を共有し、それにより基準を得る工程；
（ｂ）（ｂａ）それぞれ（ａ）の１個の融合ポリペプチドに含まれる又は複数の融合ポリペプチドのうちで共有されるタグ配列を含む又はからなる既知量のタグポリペプチドを、１回につき１個の融合ポリペプチド又は前記複数の融合ポリペプチドの１個に、それぞれ添加して、前記融合ポリペプチドが、前記タグポリペプチドと比較して質量変更される、例えば前記融合ポリペプチドと前記タグポリペプチドが異なって同位体標識される工程、
（ｂｂ）工程（ｂａ）で得た１個の融合ポリペプチドと前記タグポリペプチドの混合物のタンパク質分解性消化を実施する工程、
（ｂｃ）場合によりクロマトグラフィーの後、工程（ｂｂ）のタンパク質分解性消化の結果を、質量分光分析に付す工程；並びに
（ｂｄ）（ｉ）融合ポリペプチド及びタグポリペプチドの質量スペクトルのピーク強度及び（ｉｉ）前記タグポリペプチドの前記既知量から前記１個の融合ポリペプチドの絶対量を測定し、
それにより１回につき１個の融合ポリペプチド又は前記複数の融合ポリペプチドのうちの１個の絶対量をそれぞれ得ることにより、前記融合ポリペプチドの絶対量を測定する工程
を含む方法。
【請求項３】
試料において１個以上の標的ポリペプチドの絶対量を決定する方法であって、以下の工程：
（ａ）場合により、請求項２に記載の方法を実施する工程；
（ｂ）請求項２（ａ）に定義された定量基準を前記試料に添加する工程；
（ｃ）工程（ｂ）で得た混合物のタンパク質分解性消化を実施する工程；
（ｄ）場合によりクロマトグラフィーの後、工程（ｃ）のタンパク質分解性消化の結果を、質量分光分析に付す工程；並びに
（ｅ）（ｉ）融合ポリペプチド及び標的ポリペプチドの工程（ｄ）で得た質量スペクトルのピーク強度及び（ｉｉ）前記融合ポリペプチドの既知絶対量から標的ポリペプチドの絶対量を決定する工程を含み、
前記融合ポリペプチドが前記標的ポリペプチドと比較して質量変更されている、例えば前記１個以上の標的ポリペプチドが前記融合ポリペプチドと異なって同位体標識されている方法。
【請求項４】
１又は２つのタグが前記融合ポリペプチド（単数又は複数）に存在し、前記タグ（単数又は複数）が精製タグ及び溶解性タグから選択される、請求項１〜３のいずれか１項に記載の方法。
【請求項５】
前記添加が前記タンパク質分解性消化の前に実施される、請求項１、３又は４のいずれか１項に記載の方法。
【請求項６】
２〜５００個の融合ポリペプチドが使用される、請求項２〜５のいずれか１項に記載の方法。
【請求項７】
溶解性タグがそれぞれの前記融合ポリペプチドに存在する、請求項１〜６のいずれか１項に記載の方法。
【請求項８】
ポリペプチドの前記部分配列が、
（ａ）１５〜２０５個のアミノ酸からなる；
（ｂ）プロテオタイプペプチドを含む；並びに／又は
（ｃ）他のタンパク質と最小配列同一性を有するように選択され、シグナルペプチドを排除し、及び／若しくは膜貫通領域からの配列を排除する
請求項１〜７のいずれか１項に記載の方法。
【請求項９】
質量分析により標的ポリペプチドを定量化するための融合ポリペプチドであって、
前記融合ポリペプチドが３５〜４５５個のアミン酸残基からなり、（ｉ）標的ポリペプチドのフラグメントである標的領域及び（ｉｉ）標的ポリペプチドのフラグメントではないタグ領域を含み、
前記標的領域が１５〜２０５個のアミノ酸残基からなり、少なくとも２つのシグネチャー領域を含み；
前記タグ領域が２０〜２５０個のアミノ酸残基からなり、少なくとも２つのシグネチャー領域を含み；
各シグネチャー領域が、構造：Ｙ−Ｚ−Ｘ4-28−Ｙ−Ｚを有し、ここで
全てのＹが（ｉ）〜（ｉｖ）のうちの１つから選択され、（ｉ）がＲ又はＫであり、（ｉｉ）がＹ、Ｆ、Ｗ又はＬであり（ｉｉｉ）がＥであり、（ｉｖ）がＤであり、各Ｘ及び各Ｚが独立して任意のアミノ酸残基であるが、但し、Ｙが（ｉ）〜（ｉｉｉ）から選択される場合、ＺはＰではなく；各シグネチャー領域が、重同位体を含む少なくとも１個のアミノ酸残基を含む
融合ポリペプチド。
【請求項１０】
前記タグ領域が、溶解性タグ又はそのフラグメントに対応し、前記溶解性タグが、マルトース結合タンパク質（ＭＢＰ）、グルタチオン−Ｓ−トランスフェラーゼ（ＧＳＴ）、チオレドキシン（Ｔｒｘ）、Ｎ利用サブスタンス（N-Utilization substance）（ＮｕｓＡ）、低分子ユビキチン修飾因子（ＳＵＭＯ）、溶解性向上タグ（ＳＥＴ）、ジスルフィド形成タンパク質Ｃ（ＤｓｂＣ）、１７キロダルトンタンパク質（Ｓｋｐ）、Ｔ７ファージタンパク質キナーゼ（Ｔ７ＰＫ）、タンパク質Ｇ  Ｂ１ドメイン（ＧＢ１）、タンパク質Ａ  ＩｇＧ  ＺＺ反復ドメイン（ＺＺ）及びアルブミン結合タンパク質（ＡＢＰ）から選択される、請求項９に記載の融合ポリペプチド。
【請求項１１】
前記タグ領域が、配列番号１に記載される配列からなる又はそれを含む、請求項９又は１０に記載の融合ポリペプチド。
【請求項１２】
ＹがＲ及びＫから選択される、請求項９〜１１のいずれか１項に記載の融合ポリペプチド。
【請求項１３】
前記融合ポリペプチド（単数又は複数）が、請求項９〜１２のいずれか１項に定義されているものである、請求項１〜８のいずれか１項に記載の方法。
【請求項１４】
（ａ）請求項９〜１２のいずれか１項に記載の少なくとも１個の融合ポリペプチド；並びに
（ｂ）（ｉ）請求項９〜１２のいずれか１項に定義されているタグ領域のアミノ酸配列を含む若しくはからなり、請求項９〜１２のいずれか１項に定義されている前記タグ領域と比較して異なって同位体標識されている第２ポリペプチド；及び／又は
（ｉｉ）トリプシン、キモトリプシン、Ｌｙｓ−Ｃ、Ｇｌｕ−Ｃ若しくはＡｓｐ−Ｎのようなタンパク質分解酵素
を含むキット。
【請求項１５】
標的ポリペプチド定量化における参照としての、請求項２に定義されている定量基準又は請求項９〜１２のいずれか１項に記載の融合ポリペプチドの使用。
【発明の詳細な説明】
【技術分野】
【０００１】
本発明は、試料中の標的ポリペプチドの絶対量を決定する方法であって、以下の工程：（ａ）前記試料に（ａａ）（ｉ）少なくとも１つのタグ配列及び（ｉｉ）標的ポリペプチドの部分配列を含む融合ポリペプチドを添加し、（ａｂ）前記試料に（ａａ）による前記タグ配列を含む又はからなるタグポリペプチドの既知絶対量を添加して、一方の前記融合ポリペプチドが、他方の前記標的ポリペプチド及び前記タグポリペプチドと比較して質量変更される、例えば一方の前記融合ポリペプチドと、他方の前記標的ポリペプチド及び前記タグポリペプチドとが、異なって同位体標識される工程；（ｂ）工程（ａ）で得た混合物のタンパク質分解性消化を実施する工程；（ｃ）場合によりクロマトグラフィーの後、工程（ｂ）のタンパク質分解性消化の結果を、質量分光分析に付す工程；並びに（ｄ）前記標的ポリペプチドの絶対量を（ｉ）前記融合ポリペプチド、前記タグポリペプチド及び前記標的ポリペプチドの工程（ｃ）で得た質量スペクトルのピーク強度及び（ｉｉ）前記タグポリペプチドの前記既知絶対量から決定する工程を含む方法に関する。
【背景技術】
【０００２】
本明細書において、特許出願及び製造会社の指示書を含む多数の文献が引用されている。これらの文献の開示は、本出願の特許性に関連すると考えられないが、その全体が参照として本明細書に組み込まれる。より詳細には、全ての参考文献は、まるでそれぞれ個別の文献が明確かつ個別に参照として組み込まれることが示されているのと同じ程度で、参照として組み込まれる。
【０００３】
質量分析（ＭＳ）に基づいたプロテオミクスは、世界的にタンパク質を研究する選択法になっている（１〜３）。質量分析は、本質的に定量的ではないが、方法はこの制限に対してある程度取り組むために開発されてきた。それらの大部分は、安定同位体に基づいており、目的のペプチドの質量シフト型を導入し、次に「重」と「軽」の比を定量化するものである。安定同位体標識化は、標識試薬の化学的添加、酵素的同位体標識化又は代謝標識化のいずれかにより達成される（４〜６）。一般に、これらの手法は、軽及び重標識試料におけるプロテオーム発現レベルの相対的な定量情報を得るために使用される。例えば、細胞培養液中のアミノ酸による安定同位体標識化ＳＩＬＡＣ（７，８）は、軽又は重標識のように異なって標識された標識アミノ酸をプロテオームに代謝的に組み込むことによって実施される。標識プロテオームを、スパイクイン（spike-in）ＳＩＬＡＣ手法（９）のような、目的の細胞又は組織プロテオームのタンパク質レベルを決定する内部基準として使用することもできる。
【０００４】
絶対定量化は、相対定量化と比べて技術的により困難であり、今までのところ、一度に単一又は少数のタンパク質のためにしか正確に実施することができない（１０）。絶対定量化の典型的な適用は、タンパク質の細胞コピー数（システム生物学のために重要）又は体液中のバイオマーカーの濃度（医療用途のために重要）の決定である。更に、任意の絶対定量化の正確な方法は、１つを超える試料において実施されるとき、これらの試料の間で相対量のタンパク質も生じる。
【０００５】
ＡＱＵＡ（１１）、ＱＣｏｎＣＡＴ（１２，１３）、ＰＳＡＱ（１４）、絶対ＳＩＬＡＣ（１５）及びＦｌｅｘｉＱｕａｎｔ（１６）を含む幾つかの絶対定量化の方法が、最近数年間出現している。これらは、全て、試料にスパイクされた標識対応物の確定量に対する重対軽の比により目的の内在性タンパク質を定量化し、主に、重標識ペプチド又は重標識完全長タンパク質のいずれかをスパイクすることにより互いに区別される。ＡＱＵＡ戦略は、重同位体により化学的に合成され、かつ試料調製後にスパイクされたプロテオタイプ（proteotypic）ペプチド（１７）を使用する。ＡＱＵＡペプチドは、市販されているが、特に多くのペプチド又はタンパク質が定量化される必要がある場合に高価である（例えば、Ｋｅｔｔｅｎｂａｃｈら、ネイチャープロトコール（Nat Protoc.）２０１１年、６：１７５〜８６を参照すること）。更に、ＡＱＵＡ戦略は、ワークフローの後半段階である試料調製及び酵素的タンパク質分解の後のスパイクインにより導入された、ペプチド基準の定量化不確実性に苦しんでいる。更に、例えば保存中のペプチドの損失は、定量化の結果に直接的な影響を与える。ＱｃｏｎＣＡＴ手法は、プロテオタイプペプチドのコンカテマーである人工タンパク質に基づいている。この人工タンパク質は、大腸菌において組換え的に発現され、タンパク質分解の前に試料にスパイクされる。ＱｃｏｎＣＡＴは、標識ペプチドの産生を可能にするが、タンパク質分別効果又は消化効率から生じるあらゆる偏りを修正しない。ＰＳＡＱ、絶対ＳＩＬＡＣ及びＦｌｅｘｉＱｕａｎｔ手法は、重型のアミノ酸であるアルギニン及びリシンにより完全長タンパク質を代謝的に標識して、これらの制限に取り組もうと試みている。ＰＳＡＱ及びＦｌｅｘｉＱｕａｎｔは、コムギ麦芽抽出物又は細菌細胞抽出物のそれぞれにおいてインビトロで完全長タンパク質を合成し、一方、絶対ＳＩＬＡＣは、大腸菌における組換えタンパク質発現を用いて記載された。タンパク質基準は、初期段階に、例えば細胞溶解産物に直接的に添加される。それによって、試料分別を並行して実施することができ、ＳＩＬＡＣタンパク質は、調査されるプロテオームと一緒に消化される。しかし、これらの利点は、完全長のタンパク質を産生させる費用と共にあり、このことが処理量を制限し、一般にこれらの方法は可溶性タンパク質に限定されている。
【０００６】
従って、ペプチド及びポリペプチドの質量分析に基づいた絶対定量化の改善された又は代替的な手段及び方法についての満たされていない必要性が存在する。
【発明の概要】
【課題を解決するための手段】
【０００７】
本発明は、試料中の標的ポリペプチドの絶対量を決定する方法であって、以下の工程：（ａ）前記試料に（ａａ）（ｉ）少なくとも１つのタグ配列及び（ｉｉ）標的ポリペプチドの部分配列を含む融合ポリペプチドを添加し、（ａｂ）前記試料に（ａａ）による前記タグ配列を含む又はからなるタグポリペプチドの既知の絶対量を添加して、一方の前記融合ポリペプチドが他方の前記標的ポリペプチド及び前記タグポリペプチドと比較して質量変更される、例えば一方の前記融合ポリペプチドと、他方の前記標的ポリペプチド及び前記タグポリペプチドとが、異なって同位体標識される工程；（ｂ）工程（ａ）で得た混合物のタンパク質分解性消化を実施する工程；（ｃ）場合によりクロマトグラフィーの後、工程（ｂ）のタンパク質分解性消化の結果を、質量分光分析に付す工程；並びに（ｄ）前記標的ポリペプチドの絶対量を（ｉ）前記融合ポリペプチド、前記タグポリペプチド及び前記標的ポリペプチドの工程（ｃ）で得た質量スペクトルのピーク強度及び（ｉｉ）前記タグポリペプチドの前記既知絶対量から決定する工程を含む方法を提供する。
【０００８】
用語「絶対量」は、通常の意味を有し、相対量と、すなわち発現分析において、おそらくｍＲＮＡ発現プロファイリング又はプロテオミクス法により一般的に決定される比と異なる。特に、用語「絶対量」は、例えば細胞における所定のタンパク質又はポリペプチドの物質のコピー数又は量、或いは確定容量における又は尿若しくは血漿のような体液のｎｇ／ｍＬのような試料における量を意味することが理解される。換言すると、前記絶対量は、物質の濃度、質量又は量（分子のモル又は数）で表すことができる。
【０００９】
用語「ポリペプチド」は、当該技術において十分に確立されており、アミノ酸、好ましくは２０個の標準的なアミノ酸の重縮合物を意味する。用語「ポリペプチド」は、本明細書で使用されるときペプチドも包含し、ここでペプチドは、最小長さの２個のアミノ酸を有することが理解される。その一方で用語「ポリペプチド」は、タンパク質を、少なくともそのようなタンパク質が単鎖からなる限りにおいて含む。次いでタンパク質は、１つを超えるポリペプチド鎖を含むこともできる。
【００１０】
本発明の方法は、また、タンパク質が１つを超えるポリペプチド鎖を含む限り、タンパク質の絶対量を決定するのに同様に適していることが理解される。そのような場合では、タンパク質に含まれるポリペプチド鎖のモル比が不明であると仮定すると、目的のタンパク質に含まれる１個のポリペプチドの絶対量を決定することが十分でありうる。あるいは、目的のタンパク質に含まれる１個を超える又は全てのポリペプチドの絶対量を、本発明の方法により決定することができる。
【００１１】
「融合ポリペプチド」は、本発明によると、異なる由来の少なくとも２つのセグメントを含むポリペプチドである。より詳細には、本発明の融合ポリペプチドは、列挙された試料に含まれる又は含まれると推定されるタグアミノ酸配列及び標的ポリペプチドの部分配列の存在を必要とする。１つを超えるタグアミノ酸配列が存在すると意図的に想定される。これは、以下において更に考察される好ましい実施態様の主題である。更にこれは、含まれた実施例において例示され、図１により示されている。融合ポリペプチドの好ましい実施態様が下記において更に記載されており、タンパク質エピトープシグネチャータグ（ＰｒＥＳＴ）を含む。一方では標的プロテオーム、他方ではタグ配列のタンパク質分解性消化が、ペプチドの別個の２セット又は２５％未満、１０％未満、５％未満、２％未満若しくは１％未満が重複している少なくともペプチドの２セットを生じるように、前記タグ配列が選択されることが好ましい。「標的プロテオーム」は、典型的には単一種に由来するプロテオームである。標的プロテオームは、前記標的ポリペプチドを含む。好ましいプロテオームは、ヒトプロテオームである。１つを超えるタグ配列が存在する場合、タグ配列は互いに異なることが理解される。特に、前記融合ポリペプチドに存在する第１タグ配列のタンパク質分解性消化により得られるペプチドのセット及び前記融合ポリペプチドに存在する第２タグ配列（また、任意の更なるタグ配列）のタンパク質分解性消化により得られるペプチドのセットは、分離している、すなわち同じ配列のペプチドを共有しない。参照が本明細書においてタンパク質分解性消化により得られるペプチドの分離セットに対してなされる場合、ペプチドのセットは、最小長さ以上のペプチドに関して特に分離しており、前記最小長さは、少なくとも４、５、６、７、８又は９個のアミノ酸であることが理解される。
【００１２】
用語「部分配列」は、その最も広義な形態において、検出される標的ポリペプチドの任意の部分配列を意味し、更に、前記標的ポリペプチドの配列全体を含む。好ましい実施態様において、前記部分配列は、標的ポリペプチドの部分配列であり、前記標的ポリペプチドの配列全体は除外される。前記部分配列の好ましい長さ範囲は、下記において更に考察される。
【００１３】
用語「同位体」は、同じ数の陽子（原子番号）を有するが、異なる数の中性子を有する２つ以上の核種を意味する。質量数におけるそのような差は、質量スペクトルにおいて一方の同位体標識化合物又はフラグメントが他方の非標識対応物と異なるピーク位置をもたらす。好ましい同位体は、重水素、13Ｃ及び15Ｎである。
【００１４】
用語「標識される」は、天然に生じる頻度から逸脱する同位体の頻度を意味する。好ましい実施態様において、用語「同位体標識される」は、同じ原子番号の原子が考慮される限り、所定の同位体を独占的に含有する化合物、部分、フラグメント又は分子を意味する。例えば、好ましい同位体標識リシンは、全ての炭素位置に13Ｃ核種を有する。好ましい実施態様において、全てのリシン及び／又は全てのアルギニンのように１個以上の特定のアミノ酸が同位体標識される。適切な同位体標識アミノ酸残基が、下記において更に提示されている。
【００１５】
用語「異なって標識される」又は「異なって同位体標識される」は、本明細書で使用されるとき、複数の標識化スキームを意味する。特に、一方が標識され、他方が標識されないのであれば、２個のポリペプチドが異なって標識されるには十分である。同様に想定されることは、一方のポリペプチドが１つの特定の方法により同位体標識され、他方のポリペプチドも同位体標識されるが、異なった方法でされることであり、その結果は、両方のポリペプチドが同位体の天然に生じる頻度を示さず、質量スペクトルにおいて区別されうることである。「異なって同位体標識される」は、本発明によると、タンパク質分解性消化を受けて、（ｉ）第１及び第２ペプチドが、配列は同一であるが、質量が異なって融合ポリペプチドに含まれるように、少なくとも第１ペプチドが標的ポリペプチドから形成され、少なくとも第２ペプチドがその部分配列から形成され、（ｉｉ）第３及び第４ペプチドが、配列は同一であるが、質量が異なって融合ポリペプチドに含まれるように、少なくとも第３ペプチドがタグポリペプチドから形成され、少なくとも第４ペプチドがタグ配列から形成されるものであると理解される。これは、例えば、内部標識を含む標識ポリペプチドにより達成することができ、１個以上の所定のアミノ酸がそれぞれ現れるときに標識され、前記アミノ酸は、好ましくは、タンパク質分解性消化に使用される酵素により認識される切断部位に含まれるものである。そのような好ましいアミノ酸は、本明細書の他の部分に記載されているように、リシン及び／又はアルギニンである。まとめると、一方の前記縮合ポリペプチドと他方の前記標的ポリペプチド及び前記タグポリペプチドは、異なって内部的に同位体標識されることが好ましい。用語「内部」は、標識と関連して本明細書で使用されるとき、末端標識と区別されることが理解される。
【００１６】
一般的に言えば、本開示において「異なって標識される」又は「異なって同位体標識される」と称される場合、これらの用語は好ましい実施態様に関連することが理解される。より一般的には、同位体標識化が含まれるが、これに限定されない質量変更の任意の手段が想定される。用語「質量変更」及び「質量変更された」は、本明細書で使用されるとき、質量に関して違いをつけるため、異なる供給源及び同一の配列から得られるペプチド（又はポリペプチド）に提供する全ての手段及び方法を意味する。同位体標識化は、この目標を達成する１つの好ましい手段である。当該技術において知られている代替的な方法は、相対及び絶対定量化における等圧タグ（ｉＴＲＡＱ）の使用である。この方法は、同位体コード共有タグを使用する（例えば、Ｒｏｓｓら、分子及び細胞のプロテオミクス（Mol. Cell. Proteomics）３、１１５４〜６９、２００４年を参照すること）。好ましくは、ｉＴＲＡＱは、ペプチド及びポリペプチドのＮ末端及び側鎖アミンの共有標識化に基づいている。適切な作用物質は、当該技術において知られており、その例には、４−ｐｌｅｘ及び８−ｐｌｅｘと呼ばれる作用物質が含まれる。実体Ａが実体Ｂと比較して質量変更されていると記述される場合、実体Ａ又は実体Ｂのいずれかが、例えば異なる同位体標識化又はｉＴＲＡＱの意味の共有タグの存在によって、天然に生じる形態から逸脱していることが理解される。
【００１７】
「少なくとも一方の前記融合ポリペプチドと、他方の前記標的ポリペプチド及び前記タグポリペプチドとが、異なって同位体標識される」という、主な実施態様に引用されている要件に目を向けると、前記標的ポリペプチド及び前記タグポリペプチドは、同じ方法により若しくは異なる標識化パターンに従って同位体標識されうること又は前記融合ポリペプチドが同位体標識される場合、両方とも非標識でありうることが注目される。より詳細には、少なくとも以下の標識化スキームが包含される。（１）前記融合ポリペプチドは同位体標識され、前記標的ポリペプチド及び前記タグポリペプチドは両方とも同位体標識されない。（２）前記標的ポリペプチド及び前記タグポリペプチドは同位体標識され、前記融合ポリペプチドは同位体標識されず、ここで標的ポリペプチド及びタグポリペプチドは、同じ方法により又は異なる標識化パターンに従って同位体標識される。（３）標的ポリペプチド、融合ポリペプチド及びタグポリペプチドから選択されるポリペプチドは同位体標識されない又は第１パターンに従って同位体標識され、同じ群から選択される第２のポリペプチドは第２パターンに従って同位体標識され、群の残りのポリペプチドは第３パターンに従って同位体標識される。標識化スキーム（３）の３つのパターン（又はポリペプチドのうちの１つが同位体標識されない場合は２つのパターン）は、例えば、１個以上の所定のアミノ酸の２又は３つの同位体標識形態を使用して実施することができ、前記２又は３つの同位体標識形態は、総質量が異なっている。（３）に従った例示的な標識化スキームは以下である。標的ポリペプチドは同位体標識されず、融合ポリペプチドは同位体標識され（「ヘビー級（heacy weight）」形態）、タグポリペプチドは、例えば「ミドル級（middle weight）」又は「超ヘビー級（extra heavy weight）」形態のいずれかで提供されるように異なるパターンに従って同位体標識される。そのような標識化スキームは、タグポリペプチドのタンパク質分解産物を試料の消化により誘導することもできると推定される場合、例えば、試料がヒトであり、タグがヒトタンパク質又はそのドメイン若しくはセグメントである場合、特に好ましいことがある。
【００１８】
用語「標識化スキーム」は、本明細書で使用されるとき、異なるポリペプチドを区別するものである。所定の標識化スキームでは、ポリペプチドの部類（部類は、標的ポリペプチド、タグポリペプチド及び融合ポリペプチドである）が、同じ方法により、例えばリシンが生じる全ての位置への13Ｃ標識リシンの組み込みにより標識される。標識化スキームは、異なる部類が異なって標識されることを提供する。その一方で用語「標識化パターン」は、所定のポリペプチドの異なる標識形態を区別する。例えば、特定のポリペプチドは、リシンの全ての出現を13Ｃ標識リシンに代えること又は全ての位置のアルギニンを13Ｃ15Ｎ標識アルギニンに代えることによって標識することができ、それによって標識化パターンを異なったものにすることができる。
【００１９】
同位体標識化の多様な手段は当業者の自由裁量に任され、標識試薬の化学的添加、酵素同位体標識化又は代謝標識化が含まれる（４〜６）。
【００２０】
本発明によると、同位体標識化は代謝標識化により導入されることが好ましい。換言すると、本発明の方法に使用されるポリペプチドは、標識されることが求められる限り、好ましくは無細胞系のみならず細胞系のような生体系での産生により得られる。例えば、リシン及び／又はアルギニンに対して栄養要求性である宿主細胞を使用することができ、同時に、同位体標識リシン及び／又はアルギニンが増殖培地にもたらされる。代謝同位体標識化の好ましい手段は、細胞培養液中のアミノ酸を用いた安定同位体標識化（ＳＩＬＡＣ）である。ＳＩＬＡＣ手順は、当該技術において知られており、本明細書上記の背景技術のセクションのみならず、参照として本明細書に組み込まれるそれに関連して引用された参考文献に記載されている。上記に記述されたように、同位体標識化が高質量数の同位体を使用する限り、標識形態は一般的に「ヘビー（重）」形態と呼ばれ、一方、天然に生じる対応物又は考慮される重同位体を含有しない若しくは実質的に含有しない対応物は、一般的に「ライト（軽）」形態と呼ばれる。
【００２１】
列挙された「タグポリペプチドの既知絶対量」は、当該技術において確立された方法により決定することができる。好ましい方法はアミノ酸分析である。アミノ酸分析は、典型的には多様な会社によりサービスとして提供される。方法には、好ましくは、所定の試料の全加水分解、得られた遊離アミノ酸の化学誘導体化、例えば逆相ＨＰＬＣによる誘導体化アミノ酸の分離、続く結果の解釈が含まれる。方法は、例えばＭｏｏｒｅ及びＳｔｅｉｎ、生化学ジャーナル（J. Biol. Chem.）１７６、３６７〜３８８（１９４８年）並びにＭｏｏｒｅ及びＳｔｅｉｎ、生化学ジャーナル１７６、３３７〜３６５（１９４８年）により詳細に記載されている。
【００２２】
本発明の方法は、一方では融合ポリペプチドの第１部分配列が標的タンパク質の部分配列と同一であること、他方では融合ポリペプチドの第２部分配列がタグポリペプチドと同一であることを必要とする。更に、アミノ酸配列が同一であったとしても、融合ポリペプチドの第１部分配列の質量と標的ポリペプチドの対応物の質量が別個である必要がある。同様に、融合ポリペプチドの第２配列の質量とタグポリペプチドの質量も別個である必要がある。このことは、上記に記載された標識化スキームにより達成することができる。このことは、融合ポリペプチド内のタグ配列とタグポリペプチド、並びに前記融合ポリペプチドに含まれた前記部分配列と標的ポリペプチドポリペプチドの定量比較を可能にする。
【００２３】
工程（ｂ）は、質量分析法により都合良く扱うことができるフラグメントを生じる、当該技術において十分に確立されているタンパク質分解性消化を提供する。タンパク質分解性消化に使用するのに好ましい酵素は、下記において更に記載される。前記タンパク質分解性消化は特異的であること、すなわち切断は使用される酵素の全ての切断部位において生じることが好ましい。その一方で、本明細書に記載されているように、本発明の方法は、不完全な消化により導入される偏りの回避を提供する。
【００２４】
タンパク質分解性消化に続いて、質量分光分析が実施される。イオン化ペプチド分子が質量分析計の真空系に移動される。好ましい稼働様式において、当該技術の実務家に広く知られているように、質量分析計は、そのときに機器に進入するペプチドの質量スペクトルを記録する質量分析走査を実施するように稼働する。定量化は、この質量分析（又はＭＳ）走査に存在するピークに基づいている。含まれる実施例は、質量分析計の適切な稼働様式のより詳細な説明を提供する。分析される試料の性質、試料に含まれると推定されるポリペプチド及び利用可能な機器類に応じて、当業者は適切な稼働様式を選択することができる。
【００２５】
タンパク質分解性消化の実施を考慮すると、（ａａ）による前記タグ配列を含むタグポリペプチド又は（ａａ）による前記タグ配列からなるタグポリペプチドは、交換可能に使用することができる。好ましくは、いずれの場合においても、１つ以上の同じタグフラグメントがタンパク質分解性消化の際に生じる。
【００２６】
質量分光分析を実施する前に、タンパク質分解性消化の結果を、当該技術において確立されているクロマトグラフィーに付すことができる。クロマトグラフィーの好ましい手段は、液体クロマトグラフィー（ＬＣ）である。好ましい稼働様式では、ペプチド混合物が液体クロマトグラフィーカラムに注入され、有機溶媒の勾配により数分間から数時間かけて分離され、オンラインエレクトロスプレーされる。
【００２７】
工程（ｄ）は、絶対量、特に試料に含まれる標的ポリペプチドの絶対量を測定するために、質量スペクトルから得た情報（相対強度として見なすことができる）をタグポリペプチドの既知絶対量と組み合わせる。更に説明するために、本明細書上記に紹介された第１〜第４ペプチドの用語法を使用して、所定の標的ポリペプチドの絶対量を例えば以下のように決定することができる。物質の量の比は、対応するピークのＭＳスペクトルにおける強度の比と同一である。第１〜第４ペプチドの短縮名称として１〜４の番号を使用して、以下が当てはまる。第４ペプチド（融合ペプチドに含まれるタグ配列から誘導されるタンパク質分解フラグメント）の物質の量Ｎ（４）は、Ｎ（４）＝Ｎ（３）×Ｉ（４）／Ｉ（３）に従って決定することができる。Ｎ（３）は、タグポリペプチドの既知絶対値である。Ｉ（３）及びＩ（４）は、対応するピーク強度である。融合ポリペプチドの定義を考慮すると、Ｎ（２）＝Ｎ（４）が当てはまり、すなわち融合ポリペプチドのどちらの部分から形成されるペプチドの物質の量でも同一である。次に標的ポリペプチドの物質の量Ｎ（１）は、以下のように決定することができる：Ｎ（１）＝Ｎ（２）×Ｉ（１）／Ｉ（２）。Ｎ（２）＝Ｎ（４）及びＮ（４）＝Ｎ（３）×Ｉ（４）／Ｉ（３）を使用し、続いてＮ（１）＝Ｎ（３）［Ｉ（１）Ｉ（４）／Ｉ（２）Ｉ（３）］となり、これは、ピーク強度Ｉ（１）〜Ｉ（４）及びタグポリペプチドの既知絶対値Ｎ（３）に基づいた標的ポリペプチドの絶対定量化を可能にする。実践において、比は幾つかのペプチド、すなわちタグ配列及び標的ポリペプチド配列にわたる１つを超えるペプチド対の強度の比の平均として通常決定されることに留意すること。
【００２８】
本発明の方法は、３つの別個の種の特異的標的化スキームを使用し、標的化スキームは上記に記載されている。本発明の方法の主な特徴は、融合ポリペプチドの使用であり、前記融合ポリペプチドは、本明細書において「タグ配列」とも呼ばれる少なくとも１つの一般的な配列を含有する。既知絶対量における上記に定義されたタグポリペプチドが付随的に提供することは、定量的に決定される実際のポリペプチドから有利に独立した方法で較正を可能にすることである。
【００２９】
上記において考察された多様な従来技術の方法から逸脱して、本発明の方法は、ワークフロー全体において基準（主な実施態様の場合、前記既知絶対量のタグポリペプチド）の初期添加を提供する。その結果として、タンパク質分解性消化及び任意のクロマトグラフィーを含む下流工程は、基準及び分析される試料の構成成分の両方に等しく適用される。例えばタンパク質分解性消化の効率又は性能におけるばらつきは、工程（ａ）において得られる混合物の全ての構成成分に等しく影響を与え、それによって、生じうるあらゆる偏りが回避される。好ましい実施態様において、サイズ排除クロマトグラフィーのようなタンパク質の大きさに基づいた方法は、前記の添加の後に使用されない。
【００３０】
非常に少ないタンパク質存在量の正確なタンパク質定量化が困難であることは、プロテオミクスの実務家に良く知られている。しかし、融合タンパク質基準それ自体の正確な定量化は、決定されるポリペプチドの細胞存在量又は他の特徴によって左右されず、同じ量の融合ポリペプチドが、好ましくは本発明の方法のそれぞれの場合に使用されることが留意される。また、添加される前記融合ポリペプチドを含む組成物の純度は、方法が総タンパク質ではなく、融合ポリペプチドの量を特異的に決定するので、影響を与えない。
【００３１】
本明細書に含まれる実施例においてより詳細に考察されるように、本発明の方法は、細胞タンパク質発現レベルの定量的決定の正確性に有意な改善をもたらす。方法の更なる利点は、典型的には、基準の正確な定量化及び絶対定量化される標的ポリペプチドの両方のため、幾つかの定量化できるペプチドをそれぞれの融合ポリペプチドにもたらすことである。更に、タンパク質発現を標準的な系（例えば、大腸菌）において実施することができるため、そして好ましい実施態様においては比較的短い特有の配列だけが異なるので、多数の融合ポリペプチドを同様の条件下で産生することができるため、基準の産生を合理化することができる。
【００３２】
第２態様において、本発明は、定量基準を作り出す方法であって、以下の工程：（ａ）（ｉ）少なくとも１つのタグ配列及び（ｉｉ）定量的に測定される標的ポリペプチドの部分配列をそれぞれが含む複数の融合ポリペプチドを準備し、全ての融合ポリペプチドが、少なくとも１つのタグ配列を共有し、それにより基準を得る工程；（ｂ）（ｂａ）（ａ）の融合ポリペプチドのうちで共有されているタグ配列を含む又はからなる既知量のタグポリペプチドを、１回につき１つの前記融合ポリペプチドに添加して、前記融合ポリペプチドが、前記タグポリペプチドと比較して質量変更される、例えば前記融合ポリペプチドと前記タグポリペプチドが異なって同位体標識される工程、（ｂｂ）工程（ｂａ）で得た１個の融合ポリペプチドと前記タグポリペプチドの混合物のタンパク質分解性消化を実施する工程、（ｂｃ）場合によりクロマトグラフィーの後、工程（ｂｂ）のタンパク質分解性消化の結果を質量分光分析に付す工程、並びに（ｂｄ）（ｉ）融合ポリペプチド及びタグポリペプチドの質量スペクトルのピーク強度及び（ｉｉ）前記タグポリペプチドの前記既知量から前記１個の融合ポリペプチドの絶対量を決定し、それにより１回につき１個の前記融合ポリペプチドの絶対量を得る工程によって、前記融合ポリペプチドの絶対量を決定する工程を含む方法を提供する。
【００３３】
第２態様は下記において更に考察される多重化の選択肢を提供するが、前記第２態様は、複数の融合ポリペプチドの使用に限定されないことが留意される。したがって、本発明は、定量基準を作り出す方法であって、以下の工程：（ａ）１個の融合ポリペプチドを準備し、１個の融合ポリペプチドが、（ｉ）少なくとも１つのタグ配列及び（ｉｉ）定量的に測定される標的ポリペプチドの部分配列を含み、それにより基準を得る工程；（ｂ）（ｂａ）（ａ）の１個の融合ポリペプチドに含まれているタグ配列を含む又はからなる既知量のタグポリペプチドを１つの融合ポリペプチドに添加して、前記融合ポリペプチドが、前記タグポリペプチドと比較して質量変更される、例えば前記融合ポリペプチドと前記タグポリペプチドが異なって同位体標識される工程、（ｂｂ）工程（ｂａ）で得た１個の融合ポリペプチドと前記タグポリペプチドの混合物のタンパク質分解性消化を実施する工程、（ｂｃ）場合によりクロマトグラフィーの後、工程（ｂｂ）のタンパク質分解性消化の結果を質量分光分析に付す工程、並びに（ｂｄ）（ｉ）融合ポリペプチド及びタグポリペプチドの質量スペクトルのピーク強度及び（ｉｉ）前記タグポリペプチドの前記既知量から前記１つの融合ポリペプチドの絶対量を決定し、それにより１個の融合ポリペプチドの絶対量を得る工程によって、前記融合ポリペプチドの絶対量を決定する工程を含む方法も提供する。
【００３４】
換言すると、融合ポリペプチド調製物の一部は、既知量のタグポリペプチドと組み合わされ、ここで融合ポリペプチドは、標的ポリペプチドと比較して質量変更されている。この二成分混合物は、タンパク質分解性消化、質量分光分析及び定量化に付されて、融合ポリペプチド部分の絶対量をもたらし、この量から、調製物における融合ポリペプチドの正確な濃度を計算することができる。したがって、単一融合ポリペプチドの定量基準がもたらされる。次に、定量基準の少なくとも一部が、分析される試料に添加され、その後、得られた混合物のタンパク質分解性消化が実施される。タンパク質分解性消化の結果は、場合によりクロマトグラフィーの後で質量分光分析に付される。次に標的ポリペプチドの絶対量は、（ｉ）融合ポリペプチド及び標的ポリペプチドの質量スペクトルのピーク強度及び（ｉｉ）融合ポリペプチドの既知絶対量から決定され、ここで前記融合ポリペプチドは、前記標的ポリペプチドと比較して質量変更されている。
【００３５】
したがって、前記第２態様は、１つの融合ポリペプチド及びその複数の両方の使用を網羅するより簡潔な形態において、定量基準を作り出す方法であって、以下の工程：（ａ）１個又は複数の融合ポリペプチドを準備し、１個の融合ポリペプチド又はそれぞれの前記融合ポリペプチドが、それぞれ、（ｉ）少なくとも１つのタグ配列及び（ｉｉ）定量的に測定される標的ポリペプチドの部分配列を含み、前記複数の融合ポリペプチドが準備される限り、全ての融合ポリペプチドが少なくとも１つのタグ配列を共有し、それにより基準を得る工程；（ｂ）（ｂａ）それぞれ（ａ）の１個の融合ポリペプチドに含まれる又は融合ポリペプチドのうちで共有されるタグ配列を含む又はからなる既知量のタグポリペプチドを、１回につき１個の融合ポリペプチド又は前記融合ポリペプチドの１個に、それぞれ添加して、前記融合ポリペプチドが、前記タグポリペプチドと比較して質量変更される、例えば前記融合ポリペプチドと前記タグポリペプチドが異なって同位体標識される工程、（ｂｂ）工程（ｂａ）で得た１個の融合ポリペプチドと前記タグポリペプチドの混合物のタンパク質分解性消化を実施する工程、（ｂｃ）場合によりクロマトグラフィーの後、工程（ｂｂ）のタンパク質分解性消化の結果を、質量分光分析に付す工程、並びに（ｂｄ）（ｉ）融合ポリペプチド及びタグポリペプチドの質量スペクトルのピーク強度及び（ｉｉ）前記タグポリペプチドの前記既知量から前記１個の融合ポリペプチドの絶対量を決定し、それにより１回につき１個の融合ポリペプチド又は前記複数の融合ポリペプチドのうちの１個の絶対量をそれぞれ得る工程によって、前記融合ポリペプチドの絶対量を決定する工程を含む方法に関することが理解される。
【００３６】
関連して、本発明は第３態様において、試料中の１個以上の標的ポリペプチドの絶対量を決定する方法であって、以下の工程：（ａ）場合により第２態様の方法を実施する工程；（ｂ）第２態様で定義された定量基準を前記試料に添加する工程；（ｃ）工程（ｂ）で得た混合物のタンパク質分解性消化を実施する工程；（ｄ）場合によりクロマトグラフィーの後、工程（ｃ）のタンパク質分解性消化の結果を質量分光分析に付す工程；並びに（ｅ）（ｉ）融合ポリペプチド及び標的ポリペプチドの工程（ｄ）で得た質量スペクトルのピーク強度及び（ｉｉ）前記融合ポリペプチドの既知絶対量から標的ポリペプチドの絶対量を決定し、前記融合ポリペプチドが前記標的ポリペプチドと比較して質量変更されている、例えば前記１個以上の標的ポリペプチドが前記融合ポリペプチドと異なって同位体標識されている工程を含む方法を提供する。
【００３７】
主な実施態様は単一の質量実験から１個のポリペプチドの絶対定量化を提供するが、本発明の第２及び第３態様は、（ｉ）基準の調製及び定量化、並びに（ｉｉ）試料に含まれる複数のポリペプチドの１個以上の定量化におけるこの基準の使用に関する。重要なことは、そのような手法が多重化に容易に適合することである。換言すると、試料に含まれる１個のみならず、複数のポリペプチドを同時に定量的に決定することができる。
【００３８】
第２態様によると、１個又は複数の融合ポリペプチドが準備される。第２態様の工程（ｂ）によると、１回につき１個の融合ポリペプチドが既知量のタグポリペプチドと組み合わされる。この二成分混合物をタンパク質分解性消化、質量分光分析及び定量化に付して、１回につき１個の前記融合ポリペプチドの絶対量をもたらす。基準に含まれる１個、それ以上又は全ての融合ポリペプチドについて第２態様の工程（ｂ）を実施することによって、基準は、定量的に特徴決定され、本発明の第３態様の方法に使用することができる。第２態様の方法は、工程（ａ）において定量基準の物理的製造を提供し、工程（ｂ）において構成成分融合ポリペプチドの絶対量に関する特徴決定を提供する。好ましい定量基準は、本明細書において「ＰｒＥＳＴマスターミックス」とも呼ばれる。
【００３９】
第３態様の方法は、工程（ａ）によると、本発明の第２態様の定量基準を作り出す方法の全体を組み込むことができる。あるいは、工程（ａ）を省くことができる。その場合、工程（ｂ）により添加される定量基準は、第２態様の工程（ｂ）により特徴決定されることが理解される。
【００４０】
従って、１つの実施態様において、内部基準（すなわち、融合ポリペプチド）は、内部基準の内部基準（すなわち、タグポリペプチド）を使用して第１工程において定量化され、試料中の標的タンパク質は、定量化された内部基準（すなわち、第１工程で定量化された融合ポリペプチド）を使用して続く第２工程において定量化される。この実施態様において、第１工程は、定量化融合ポリペプチドを提供する会社の施設のような１つの場所で実施することができ、一方、第２工程は、生物学的試料中のタンパク質が診断目的で定量化される実験室のような別の場所で実施される。
【００４１】
第３態様において列挙されているように、前記１個以上の標的ポリペプチドは、前記融合ポリペプチドと比較して質量変更されている、好ましくは異なって同位体標識されている。換言すると、前記融合ポリペプチドが同位体標識されないこれらの場合において、試料に含まれる１個以上の標的ポリペプチドが同位体標識されている試料を調製する必要がある。その一方で、同位体標識試料を調製する要件は、前記融合ポリペプチドが同位体標識される第３態様に該当する実施態様では生じない。
【００４２】
好ましい実施態様では、前記試料中の標的ポリペプチドの異なる部分配列を含む１個を超える融合ポリペプチドが使用される。この実施態様によると、１個を超える融合ポリペプチドが、１個の所定の標的ポリペプチドの定量化に使用される。この態様は、本明細書に含まれる実施例において更に記載されており、改善された精度及び統計的有意性を提供する。
【００４３】
更に好ましい実施態様において、１又は２つのタグが前記融合ポリペプチドに存在し、前記タグは、精製タグ及び溶解性タグから選択される。この実施態様は、２つの異なるタグの同時の存在を包含する。それぞれのタグの好ましい実施態様は、下記において更に記載される。溶解性タグは、好ましくは本発明の方法により定量化タグ（「タグ配列」）として使用される。
【００４４】
本発明の絶対量を測定する方法の更に好ましい実施態様において、前記試料は細胞及び／又は体液を含む。前記細胞は、多様な種類又は単一の種類のものでありうる。更に、細胞は１つ以上の組織に包埋されうる。ヒト細胞が想定される限り、そのようなヒト細胞はヒト胚から得られないこと、特にヒト胚の破壊を伴う方法を介して得られないことが好ましい。その一方で、ヒト胚性幹細胞は、当業者の自由裁量に任されている。したがって本発明は、ヒト胚を使用又は破壊する必要なくヒト胚性幹細胞を扱うことができる。試料は、１つ以上の体液を含むことができ、前記体液は、好ましくは血液、血清、血漿、母乳、脳脊髄液、粘液、腹水、胸水、唾液、精液、汗、涙、膣分泌物及び尿から選択される。
【００４５】
更に好ましい実施態様において、前記添加は、ポリペプチドのタンパク質分解性消化の前に実施される。この実施態様は、分析される試料が細胞を含む又はからなる場合に関する。前記添加は、主な実施態様による融合ポリペプチド及びタグポリペプチドの添加又は本発明の第３態様の定量基準の添加を意味する。いずれの場合でも、この実施態様による初期添加は、試料調製及び処理により、特に酵素消化工程により導入される可能性のあるあらゆる偏りの根拠を方法に提供する。これは、ワークフローの際に基準の後期スパイクインを必要とする従来技術の方法と比較して、更なる利点である。
【００４６】
更に好ましい実施態様において、２〜５００個の融合ポリペプチドが使用される。上記に記述されたように、本発明の第２及び第３態様は多重化を提供する。方法のそれぞれの場合に使用される融合ポリペプチドの好ましい数は、２〜２００個の間、例えば２〜１００個の間であり、５０個の融合ポリペプチドのようにその下限と上限に包含されている任意の整数値を含む。本明細書に含まれる実施例は、４３個の融合ポリペプチドを使用した場合の優れた性能を説明する。
【００４７】
更に好ましい実施態様において、溶解性タグはぞれぞれの前記融合ポリペプチドに存在する。好ましい溶解性タグは、配列番号１の配列からなる。配列番号１の配列は、一方ではヒトプロテオームのトリプシン消化により得られる配列と、他方では配列番号１の配列のトリプシン消化により得られる配列が別個である点において特に有利である。換言すると、配列番号１の配列のトリプシン消化はペプチドを生じ、それらのうちヒトプロテオームのトリプシン消化により得られたものはない。本明細書に開示されている他の好ましい酵素がタンパク質分解性消化に使用される場合、同じことが、配列番号１の配列から得られるペプチドの少なくとも大多数に当てはまる。
【００４８】
更に好ましい実施態様において、ポリペプチドの前記部分配列は、（ａ）１５〜２０５個のアミノ酸からなる；（ｂ）プロテオタイプペプチドを含む；並びに／又は（ｃ）他のタンパク質と最小配列同一性を有するように選択され、シグナルペプチドを排除し、及び／若しくは膜貫通領域からの配列を排除する。この実施態様に列挙されている部分配列は、本発明の融合ポリペプチドに含まれる標的ポリペプチドの部分配列である。特徴（ａ）は、前記部分配列の好ましい長さ範囲をもたらす。更に好ましい長さ及び長さ範囲は、本明細書において、特に本発明の第４態様の記載において開示されている。そのような開示は、本発明の好ましい実施態様を準用する。前記長さ範囲は、トリプシンペプチドにおいて観察される長さ範囲を超えることに留意すること。その結果、この実施態様における本発明は、タンパク質分解性消化に使用されるタンパク質分解酵素の切断を受けにくい、例えばトリプシンペプチド又は他のペプチドを使用する従来技術の方法と区別される。有利には、上記に記述されたように、この長さ範囲の部分配列は、タンパク質分解性消化の際に複数のペプチドを生じ、それによって定量化の精度を向上させる。
【００４９】
用語「プロテオタイプ」は、この特定の文脈において使用されるとき、前記プロテオタイプペプチドを含む所定のポリペプチドの質量スペクトルにおいて頻繁又は常に観察されるペプチドを意味する。
【００５０】
この好ましい実施態様の部分（ｃ）によると、前記部分配列の特有性（他のタンパク質に対する、特に同じプロテオームの他のタンパク質に対する最小配列同一性）又は容易な取扱い及び／若しくは検出（シグナルペプチド及び膜貫通セグメントの排除）に関する更なる特徴が提供される。
【００５１】
更に好ましい実施態様において、前記既知絶対量の前記タグポリペプチドは、アミノ酸分析により決定される。アミノ酸分析の好ましい手段及び方法は、本明細書上記に記載されている。
【００５２】
第４態様において、本発明は質量分析による標的ポリペプチドの定量化のために融合ポリペプチドを提供し、前記融合ポリペプチドは３５〜４５５個のアミン酸残基からなり、（ｉ）標的ポリペプチドのフラグメントである標的領域及び（ｉｉ）標的ポリペプチドのフラグメントではないタグ領域を含み、前記標的領域は１５〜２０５個のアミノ酸残基からなり、少なくとも２つのシグネチャー領域を含み；前記タグ領域は２０〜２５０個のアミノ酸残基からなり、少なくとも２つのシグネチャー領域を含み；各シグネチャー領域は、構造：Ｙ−Ｚ−Ｘ4-28−Ｙ−Ｚを有し、ここで全てのＹは（ｉ）〜（ｉｖ）のうちの１つから選択され、（ｉ）はＲ又はＫであり、（ｉｉ）はＹ、Ｆ、Ｗ又はＬであり（ｉｉｉ）はＥであり、（ｉｖ）はＤであり、各Ｘ及び各Ｚは独立して任意のアミノ酸残基であるが、但し、Ｙが（ｉ）〜（ｉｉｉ）から選択される場合、ＺはＰではなく；各シグネチャー領域は、重同位体を含む少なくとも１個のアミノ酸残基を含む。
【００５３】
この態様は、本発明の方法に用いることもできる融合ポリペプチドに関する。明細書の全体にわたって、標的ポリペプチドは、任意のポリペプチド、特に任意の状態の任意の生物体又は細胞のプロテオームに天然に生じるポリペプチドでありうる。本発明の第４態様の融合ポリペプチドに含まれる２つの領域は、それぞれ、「シグネチャー領域」と呼ばれる少なくとも２つの特定の構造要素を含むように選択される。重要なことには、各シグネチャー領域のＮ及びＣ末端アミノが、本明細書に記載されている質量分析プロトコールに適したプロテアーゼにより認識されるように選択されることである。したがって（ｉ）〜（ｉｖ）のアミノ酸は、以下のプロテアーゼ：プロリン（Ｐ）が後に続かない限り、アルギニン（Ｒ）及びリシン（Ｋ）残基のカルボキシル側を切断する、トリプシン；プロリン（Ｐ）が後に続かない限り、チロシン（Ｙ）、フェニルアラニン（Ｆ）、トリプトファン（Ｖ）及びロイシン（Ｌ）のカルボキシル側を切断する、キモトリプシン；プロリン（Ｐ）が後に続かない限りリシン（Ｋ）残基のカルボキシル側を切断するＬｙｓ−Ｃ；プロリン（Ｐ）が後に続かない限りグルタミン酸（Ｅ）残基のカルボキシル側を切断するＧｌｕ−Ｃ；プロリン（Ｐ）が後に続かない限りアルギニン（Ｒ）残基のカルボキシル側を切断するＡｒｇ−Ｃ；並びにアスパラギン酸（Ｄ）残基のアミノ側を切断するＡｓｐ−Ｎの選択性に基づいている。融合ポリペプチドのこの設計原則は、タンパク質分解性消化の際に、少なくとも２つの質量変更産物が標的及びタグ領域それぞれから得られることを確実にする。同じＹ残基が、第１シグネチャー領域のカルボン酸末端と第２シグネチャー領域のアミノ末端を構成できることが、理解されるべきである。
【００５４】
一般用語「質量変更」は、上記に定義されたとおりに本明細書において使用される。好ましくは、天然に生じる頻度から逸脱する少なくとも１個の同位体の頻度、好ましくは少なくとも１個の重同位体の独占的な発生を意味し、重同位体は、好ましくはＤ、13Ｃ及び15Ｎから選択される。
【００５５】
本発明の融合ポリペプチドの好ましい実施態様において、前記タグ領域又は前記タグポリペプチドは、それぞれ、溶解性タグ又はそのフラグメントに対応し、すなわち、を含み又はからなり、前記溶解性タグは、マルトース結合タンパク質（ＭＢＰ）、グルタチオン−Ｓ−トランスフェラーゼ（ＧＳＴ）、チオレドキシン（Ｔｒｘ）、Ｎ利用サブスタンス（N-Utilization substance）（ＮｕｓＡ）、低分子ユビキチン修飾因子（ＳＵＭＯ）、溶解性向上タグ（ＳＥＴ）、ジスルフィド形成タンパク質Ｃ（ＤｓｂＣ）、１７キロダルトンタンパク質（Ｓｋｐ）、Ｔ７ファージタンパク質キナーゼ（Ｔ７ＰＫ）、タンパク質Ｇ  Ｂ１ドメイン（ＧＢ１）、タンパク質Ａ  ＩｇＧ  ＺＺ反復ドメイン（ＺＺ）及びアルブミン結合タンパク質（ＡＢＰ）から選択される。これらの溶解性タグの構造は、当該技術において知られており、当業者には容易に入手可能である。溶解性タグ（又はそのフラグメント）は第４態様の融合ポリペプチドのタグ領域を構成するときに質量変更されることが、上記の定義から分かる。
【００５６】
好ましくは、前記フラグメントは、溶解性付与特性が保持される又は有意に妨げられないように選択される。そのようになるかは、当業者によって更に苦労することなく、例えば一方では試験ポリペプチドを含む融合構築物に対して、他方では問題の溶解性タグ又はそのフラグメントに対して溶解性アッセイを実施して、決定することができる。全ての溶解性タグを含む構築物と、そのフラグメントを含む構築物との溶解性を比較することによって、溶解性付与特性が、考慮されるフラグメントにより保持されているか及びどの程度保持されているかを決定することができる。
【００５７】
上記に考察された理由によって、タグ領域の少なくとも２つのシグネチャー領域の配列は、１つの実施態様によると、タンパク質分解によりヒトプロテオームから誘導されるあらゆる配列と異なる。
【００５８】
第４態様の融合ポリペプチドを、例えば、被験者の試料における標的ポリペプチドのエキソビボ定量化を含む、被験者の医学的状態の診断に使用することができる。ヒト試料が分析されるときは、タグ領域がヒトポリペプチドではない場合が有益でありうる。したがって、第４態様の実施態様において、タグ領域のアミノ酸配列は、ヒトタンパク質又はそのフラグメントのアミノ酸配列ではない。ヒトタンパク質が他の真核生物のタンパク質と高い相同性を有することがあるので、タグ領域は、原核生物（例えば、細菌）のタンパク質又はそのフラグメントのアミノ酸配列を有することが特に好ましいことがある。
【００５９】
上記に既に示されているように、特に好ましいタグ領域又はタグポリペプチドは、配列番号１に記載された配列を有する。
【００６０】
更に好ましい実施態様によると、前記タグ領域は４０〜１５０個のアミノ酸からなり、独立して前記標的領域は、２０〜１５０個のアミノ酸、例えば２５〜１００個のアミノ酸からなる。更に融合ポリペプチドは、８０〜３００個、より好ましくは１００〜２００個のアミノ酸からなることが好ましい。
【００６１】
更に好ましい実施態様によると、前記標的領域及び独立して前記タグ領域は、少なくとも３つ、例えば少なくとも４、５、６、７又は８つのシグネチャー領域を含む。これらの好ましい実施態様は、前記融合ポリペプチドがタンパク質分解酵素と接触したとき、それぞれの前記領域から形成される増加数のタンパク質分解産物を提供し、タンパク質分解酵素は下記において更に詳述される。
【００６２】
更に好ましい実施態様によると、各シグネチャー領域は、重同位体を含む少なくとも２個、例えば少なくとも３又は４個のアミノ酸残基を独立して含む。
【００６３】
ＬｙｓＣ及びトリプシンは、特に適したタンパク質分解酵素であることが見出されている（例えば、下記の実施例を参照すること）。したがって、更に好ましい実施態様によると、前記ＹはＲ及びＫから選択される。
【００６４】
上記した通り、好ましい重同位体は、重水素（Ｄ）、13Ｃ及び15Ｎから選択されるべきである。
【００６５】
通常、融合ポリペプチドの重同位体を含むアミノ酸残基は、１つを超える重同位体を含む。大きな質量シフトをもたらすので、多量の組込重同位体が好ましいことがある。更に好ましい実施態様において、重同位体を含む少なくとも１個のアミノ酸残基は、Ｌ−アルギニン−13Ｃ6、Ｌ−アルギニン−13Ｃ615Ｎ4、Ｌ−アルギニン−13Ｃ615Ｎ4Ｄ7、Ｌ−アルギニン−15Ｎ4Ｄ7、Ｌ−アルギニン−15Ｎ4、Ｌ−リシン−13Ｃ615Ｎ2、Ｌ−リシン−15Ｎ2、Ｌ−リシン−13Ｃ6、Ｌ−リシン−13Ｃ615Ｎ2Ｄ9、Ｌ−リシン−15Ｎ2Ｄ9、Ｌ−リシン−Ｄ4、Ｌ−メチオニン−13ＣＤ3、Ｌ−チロシン−13Ｃ9、Ｌ−チロシン−15Ｎ及びＬ−チロシン−13Ｃ915Ｎから選択される。そのような重同位体標識アミノ酸は、当該技術において良く知られており、多様な製造会社から入手可能である。これらのアミノ酸の１個以上の使用は、本発明の任意の標識化スキーム及びパターンにとって好ましい。好ましい様式において、トリプシンがアルギニン及びリシンのＣ末端を特異的に切断するので、全てのリシン及びアルギニンは、トリプシンペプチドが典型的には１個の標識アミノ酸を含有するように標識される。
【００６６】
更に好ましい実施態様によると、融合ポリペプチドは、精製タグを更に含む。
【００６７】
更に、融合ポリペプチドの効率的な発現を可能にするため、融合ポリペプチドの標的領域は、標的ポリペプチドの膜貫通領域に対応しないことが好ましい。更に、シグナルペプチドが多くの場合に成熟型の標的ポリペプチドにおいては切断されているので、融合ポリペプチドの標的領域は、標的ポリペプチドのシグナルペプチドに対応しないことも好ましい。
【００６８】
上記に記載された本発明の方法のうちのいずれかの好ましい実施態様において、前記融合ポリペプチドは、本発明の第４態様、並びにそれに参照された実施態様に従って定義される。
【００６９】
好ましい精製タグは、Ｈｉｓタグ、ＦＬＡＧタグ、ＳＢＰタグ、ｍｙｃタグ及びＯｎｅＳｔｒｅｐタグから選択されるべきである。
【００７０】
本開示に従って試料において１つ以上の標的タンパク質又はポリペプチドを定量化する使用者には、タンパク質分解性消化に適した固相に予め装填された、定量化に必要な融合ポリペプチドを得ることが好都合でありうる。そのような固相は、固体支持体、カラム又はフィルターでありうる。好ましくは、カラム中の前記支持体における融合ポリペプチドの量は、予め決められている。したがって、試料を融合ポリペプチドでスパイクする工程は、使用者の責務ではなく、このことは、また、手順における人為的過誤の危険性を低減する。したがって、第５態様において、本発明は、第４態様の少なくとも１個の融合ポリペプチドが上又は中に配置されているカラムに更に関する。配置の手段は、当業者の技能の範囲内であり、共有結合、並びに非共有吸着又は吸収が含まれる。
【００７１】
トリプシン、キモトリプシン、Ｌｙｓ−Ｃ、Ｇｌｕ−Ｃ又はＡｓｐ−Ｎのようなタンパク質分解酵素をカラム上又は中に配置することもできる。そのようなカラムを使用するとき、使用者は、消化のためにタンパク質分解酵素を加える必要がなく、このことは好都合であり、人為的過誤の危険性を更に低減しうる。１つの実施態様によると、融合ポリペプチドは、試料が添加される前のあらゆるタンパク質分解性消化を防止するために、支持体上／カラム中のタンパク質分解酵素から離される。
【００７２】
本発明は、第６態様において、（ａ）少なくとも１個の第４態様の融合ポリペプチド、並びに（ｂ）（ｉ）第４態様により定義されたタグ領域と同じアミノ酸配列を含む若しくはからなるが、前記タグ領域と異なって同位体標識されている第２ポリペプチド及び／又は（ｉｉ）トリプシン、キモトリプシン、Ｌｙｓ−Ｃ、Ｇｌｕ−Ｃ若しくはＡｓｐ−Ｎのようなタンパク質分解酵素を含むキットを提供する。本明細書に記載されている定量化プロトコールに必要な産物の組み合わせをキットに入れることは、再現性の増加及び使用者の側での人為的過誤の危険性の減少をもたらすことができる。第６態様の第２ポリペプチドは、例えば「非標識」でありうる。また「ミドル級」又は「超ヘビー級」でありうる。そのような実施態様は、方法の態様に関連して上記に考察されている。
【００７３】
キットの好ましい実施態様において、少なくとも１個の融合ポリペプチドが本発明の第５態様のカラム中又は上に配置されている。キットの更に好ましい実施態様において、前記第２ポリペプチドは既知絶対量で提供される。
【００７４】
更なる態様において、本発明は、標的ポリペプチドの定量化における参照としての、本発明の第２態様において定義された定量基準又は本発明の第４態様の融合ポリペプチドの使用に関する。本発明の使用の好ましい実施態様において、前記定量化は質量分析により実施される。
【００７５】
使用態様の更なる多様な実施態様が上記の他の態様と関連して記載される。
【図面の簡単な説明】
【００７６】
【図１】ＰｒＥＳＴ濃度の正確な測定のための概略的ワークフロー。重又は軽ＡＢＰを、栄養要求性大腸菌株において組換え的に発現させ、Ｃ末端ＯｎｅＳｔｒｅｐタグを使用して精製する。アミノ酸分析により濃度を別個に分析した重標識ＡＢＰをＰｒＥＳＴと一緒に混合し、溶解消化を実施する。ペプチドをベンチトップ質量分析機で実施した短ＬＣ  ＭＳ／ＭＳにより測定し、ＰｒＥＳＴ濃度を、ＰｒＥＳＴ及びＡＢＰに由来するＡＢＰペプチドのＳＩＬＡＣ比により正確に測定する。
【図２ａ】ＡＢＰ定量化の精度。（Ａ）ベンチトップＥｘａｃｔｉｖｅ質量分析機により測定されたＡＢＰペプチドの４３の変動係数（ＣＶ）の全体的な分布の密度プロット。
【図２ｂ】ＡＢＰ定量化の精度。（Ｂ）ＡＢＰペプチドの比及びそれらの変動係数（ＣＶ）を示すタンパク質の代表例。
【図３ａ】ＰｒＥＳＴ配列を伴うペプチド比。ＰｒＥＳＴマスターミックスを癌細胞株の溶解産物にスパイクし、内在性タンパク質に対して測定した。ペプチド比を抽出して、タンパク質を定量した。配列を伴うペプチド比の変動を示す。重複ペプチドは、切断の失敗に起因する。
【図３ｂ】ＰｒＥＳＴ配列を伴うペプチド比。ＰｒＥＳＴマスターミックスを癌細胞株の溶解産物にスパイクし、内在性タンパク質に対して測定した。ペプチド比を抽出して、タンパク質を定量した。配列を伴うペプチド比の変動を示す。重複ペプチドは、切断の失敗に起因する。
【図３ｃ】ＰｒＥＳＴ配列を伴うペプチド比。ＰｒＥＳＴマスターミックスを癌細胞株の溶解産物にスパイクし、内在性タンパク質に対して測定した。ペプチド比を抽出して、タンパク質を定量した。配列を伴うペプチド比の変動を示す。重複ペプチドは、切断の失敗に起因する。
【図４】絶対定量化手順の再現性。代表例の３つの独立した定量化実験であり、マスターミックス調製とＰｒＥＳＴ定量化を独立して実施した。バーは各タンパク質におけるペプチド比の中央値を反映している。
【図５】ＨｅＬａ細胞１個あたり測定されたタンパク質コピー数。点プロットは、３つの独立した実験で測定された細胞１個あたりのタンパク質コピー数を示す。エラーバーはＣＶに対応する。細胞１個あたり４，０００〜２０，０００，０００個の範囲のコピー数のタンパク質が定量化された（表２も参照すること）。
【図６ａ】ＨｅＬａ細胞溶解産物における単一タンパク質の直接定量化。（Ａ）単一タンパク質の直接定量化における「シングルプレックス（single-plex）」戦略の原理。同じ実験において、ＡＢＰ定量化タグに対するＳＩＬＡＣペプチド比マッピングは、ＰｒＥＳＴの量を決定し、一方、ＰｒＥＳＴ構築物のタンパク質特異的領域に対するＳＩＬＡＣ比マッピングは、内在性タンパク質のレベルを決定する。実験は、ＳＩＬＡＣ重標識細胞、未標識ＰｒＥＳＴ構築物及び重標識ＡＢＰタグ（左側）又はその逆（右側）により実施することができる。
【図６ｂ】ＨｅＬａ細胞溶解産物における単一タンパク質の直接定量化。（Ｂ）絶対量タンパク質のシングルプレックス決定。ここに示されているワークフローでは、未標識ＰｒＥＳＴ構築物と重標識ＡＢＰタグの両方が、消化前にＨｅＬａ細胞溶解産物にスパイクされる。
【図６ｃ】ＨｅＬａ細胞溶解産物における単一タンパク質の直接定量化。（Ｃ）３つの異なるタンパク質における「マスターミックス」実験で得られたコピー数と、シングルプレックス実験のコピー数の比較。エラーバーは、三回の測定の平均の標準偏差である。
【図７】重ＰｒＥＳＴを使用する絶対定量化。（Ａ）ＳＩＬＡＣ重標識細胞溶解産物に対して軽ＰｒＥＳＴを定量化して得たコピー数（黒印）と、未標識細胞溶解産物に対して重ＰｒＥＳＴを定量化して得たコピー数（赤印）の比較。（Ｂ）Ａに示された値であるが、散布図としてプロットした。
【図８】ＳＩＬＡＣ−ＰｒＥＳＴに基づいた定量化とＥＬＩＳＡの比較。がん原伝子ｃ−Ｆｏｓ（Ａ）及びＳｔｒａｔｉｆｉｎ（Ｂ）をＥＬＩＳＡにより定量化して、ＳＩＬＡＣ−ＰｒＥＳＴ絶対定量化を評価した。異なるＥＬＩＳＡ適合緩衝液及び濾過と未濾過細胞溶解産物とを比較した。
【図９】異なるマウスにおけるインテグリンベータ３、タリン１及びキンドリン３の絶対定量化。（ａ）インテグリンとそのコアクチベーターを一緒にまとめた。（ｂ）野生型マウスと比較したキンドリン３の発現レベルの減少。
【発明を実施するための形態】
【００７７】
実施例は本発明を説明する。
【００７８】
実施例１：材料及び方法
タンパク質エピトープシグネチャータグ−
短タンパク質フラグメント、すなわち標的ポリペプチドの部分配列を、Ｈｕｍａｎ  Ｐｒｏｔｅｉｎ  Ａｔｌａｓによりハイスループットで産生し、ここでそれらは抗体産生のために抗原として使用される（１８，１９）。簡潔には、各標的タンパク質の特有の領域を表す適切なタンパク質エピトープシグネチャータグ（ＰｒＥＳＴ）を、テンプレートとしてヒトゲノム配列（ＥｎｓＥＭＢＬ）を使用して設計した。他のタンパク質、シグナルペプチド及び膜貫通領域に対するエピトープ及びドメインの大きさの類似性を含む（１８）、５０〜１５０個のアミノ酸の大きさ及び他のヒトタンパク質に対する低い相同性を有する特有のＰｒＥＳＴを選択した。クローニング、タンパク質発現及び精製は、以前に記載されたとおりに実施した（１９，２０）。最適な保存のため、ＰｒＥＳＴを凍結乾燥し、８Ｍの尿素に溶解し、更なる使用まで−２０℃で保存した。ＰｒＥＳＴがＨｅＬａ細胞に内在性対応物を有することを確実にするため、約４，０００個のタンパク質の深さで測定したＨｅＬａプロテオームの存在量範囲にわたって広がる５０個のタンパク質を選択した。タンパク質を、特定のタンパク質の部類、細胞局在化又は機能に関係なく選んだ。５０個のタンパク質のうち、４３個は、組換えにより発現した形態でＰｒｏｔｅｉｎ  Ａｔｌａｓ供給により容易に入手可能であった。多重化実験では、これらの４３個のＰｒＥＳＴを、それぞれ適切な濃度で一緒に混合した。次にこの「マスターミックス」を細胞溶解産物にスパイクした。
【００７９】
細胞培養−
ＳＩＬＡＣ標識化では、ＨｅＬａ細胞を、１０％透析ウシ胎児血清（Ｇｉｂｃｏ）及びペニシリン／ストレプトマイシン（Ｇｉｂｃｏ）を含有するダルベッコー改変イーグル培地（Ｉｎｖｉｔｒｏｇｅｎ）で培養した。重アルギニン（高純度Ａｒｇ１０、Ｃａｍｂｒｉｄｇｅ  Ｉｓｏｔｏｐｅ  Ｌａｂｏｒａｔｏｒｉｅｓ）及び重リシン（高純度Ｌｙｓ８、Ｃａｍｂｒｉｄｇｅ  Ｉｓｏｔｏｐｅ  Ｌａｂｏｒａｔｏｒｙ）を、それぞれ３３μｇ／ｍｌ又は７６μｇ／ｍｌの最終濃度で加えた。６継代後、細胞を質量分析による評価により十分に標識した。細胞を、Ｃｏｕｎｔｅｓｓ細胞カウンター（Ｉｎｖｉｔｒｏｇｅｎ）を使用して計数し、１０６個の細胞のアリコートを素早く凍結し、−８０℃で保存した。
【００８０】
ＡＢＰ（アルブミン結合タンパク質）のタンパク質発現及び精製−
発現ベクターｐＡｆｆ８ｃ（Ｈｕｍａｎ  Ｐｒｏｔｅｉｎ  Ａｔｌａｓ）を、アルブミン結合タンパク質（ＡＢＰ）のＣ末端にＯｎｅＳｔｒｅｐアフィニティータグを挿入するＳＬＩＣクローニングにより修飾した（２１）。重標識ＡＢＰを大腸菌において発現させるため、アルギニン及びリシンに対して栄養要求性の発現株を使用した（３３）。培養物を、（２２）に以前に記載された通りに、但し１８個の通常の（「軽」）アミノ酸、並びに重アルギニン及びリシンを添加したＰＡ５０５２最小自己誘導培地で増殖させた。培養物を一晩増殖させ、約５．７のＯＤ６０００で採取した。大腸菌細胞を、Ｂｉｏｒｕｐｔｏｒ（Ｄｉａｇｅｎｏｄｅ）を使用して１００ｍＭのＴｒｉｓ、１５０ｍＭのＮａＣｌ及びプロテアーゼインヒビター（Ｒｏｃｈｅ）に溶解した。細胞片を遠心分離により除去し、可溶性ＡＢＰを、ＡＫＴＡシステムに連結したＳｔｒｅｐＴａｐ  Ｈｉｔｒａｐカラム（ＧＥ  Ｈｅａｌｔｈｃａｒｅ）のアフィニティークロマトグラフィーを使用して精製した。タンパク質の純度を、溶解消化を介して質量分析により、続いてＬＣ  ＭＳ／ＭＳにより評価した。ＡＢＰ及び汚染物の存在量を、最も強力なペプチドのシグナルの添加により推定した。ＡＢＰをＰＢＳで透析し、アリコートにし、素早く凍結し、−８０℃で保存した。精製ＡＢＰの濃度を、アミノ酸分析（Ｇｅｎａｘｘｏｎ  ＢｉｏＳｃｉｅｎｃｅ  ＧｍｂＨ）により測定した。
【００８１】
試料調製−
ＨｅＬａ細胞を、１００ｍＭのＴｒｉｓ、４％のＳＤＳ、１００ｍＭのＤＴＴに溶解し、９５℃で５分間インキュベートし、Ｂｉｏｒｕｐｔｏｒを使用して分裂させた。溶解産物を、ＳｐｉｎＸフィルター（２２μｍ、Ｃｏｒｎｉｎｇ）を介する遠心分離により清澄にした。ＰｒＥＳＴを、標識ＨｅＬａ細胞に適切な濃度（本文を参照すること）で加え、試料をＦＡＳＰ法（２３）により更に処理した。簡潔には、タンパク質を３０ｋＤａフィルターで捕捉し、ＳＤＳを尿素含有緩衝液と交換した。タンパク質をヨードアセトアミドでアルキル化し、トリプシン処理した（Ｐｒｏｍｅｇａ）。更に、ペプチド分離を、記載されたように（２４）、ピペットによる６つの画分ＳＡＸを使用して実施した。
【００８２】
ＰｒＥＳＴ及びＡＢＰを混合し、変性緩衝液（１０ｍＭのＨＥＰＥＳ中６Ｍの尿素、２Ｍのチオ尿素、ｐＨ８）で可溶化し、ＤＴＴで還元し、続いてヨードアセトアミドでアルキル化した。タンパク質混合物をＬｙｓＣ（Ｗａｋｏ）で３時間消化し、重炭酸アンモニウムで希釈し、更にトリプシンで一晩消化した。消化を、ＴＦＡによる酸性化で停止させ、Ｃ18−ＥｍｐｏｒｅディスクＳｔａｇｅＴｉｐｓで脱塩した（２５）。
【００８３】
液体クロマトグラフィー及び質量分析−
ＨｅＬａ細胞にスパイクした軽ＰｒＥＳＴの分析を、ナノエレクトロスプレーイオン供給源（Ｐｒｏｘｅｏｎ  Ｂｉｏｓｙｓｔｅｍｓ、現Ｔｈｅｒｍｏ  Ｆｉｓｈｅｒ  Ｓｃｉｅｎｔｉｆｉｃ）を介してＥａｓｙナノ−ＨＰＬＣに連結したＬＴＱ−Ｏｒｂｉｔｒａｐ質量分析機（Ｔｈｅｒｍｏ  Ｆｉｓｈｅｒ  Ｓｃｉｅｎｔｉｆｉｃ）により実施した。ペプチドを、逆相材料のＲｅｐｒｏＳｉｌ−Ｐｕｒ１２０Ｃ１８−ＡＱ３μｍ樹脂（Ｄｒ．Ｍａｉｓｃｈ  ＧｍｂＨ）で内部充填された１５ｃｍの融解石英エミッターにより分離し、５〜３５％に勾配する緩衝液Ｂ（８０％のアセトニトリル、０．５％の酢酸）で２０５分間溶出した。質量分析機は、データ依存式に稼働して、ＭＳ及び連続ＭＳ／ＭＳを自動的に測定した。ＬＴＱ−Ｏｒｂｉｔｒａｐ完全走査ＭＳスペクトル（３００〜１６５０ｍ／ｚ）は、４００のｍ／ｚで６０，０００の解像度により得た。７個の最も存在量のあるイオンを、衝突誘起解離（ＣＩＤ）を使用する線形イオントラップにより順次単離及び断片化し、続いて線形イオントラップにより分析した。
【００８４】
ＨｅＬａ細胞にスパイクしたＰｒＥＳＴの分析を、ナノエレクトロスプレーイオン供給源（Ｔｈｅｒｍｏ  Ｆｉｓｈｅｒ  Ｓｃｉｅｎｔｉｆｉｃ）を介してＥａｓｙナノ−ＨＰＬＣに連結したＬＴＱ−ＯｒｂｉｔｒａｐＶｅｌｏｓ質量分析機（Ｔｈｅｒｍｏ  Ｆｉｓｈｅｒ  Ｓｃｉｅｎｔｉｆｉｃ）により実施した。ペプチドを、Ｃ１８−ＡＱ１．８μｍ樹脂（Ｄｒ．Ｍａｉｓｃｈ  ＧｍｂＨ）を使用して内部充填された２０ｃｍカラムにより分離し、５〜３５％に勾配する緩衝液Ｂで２０５分間溶出した。質量分析機は、データ依存式に稼働して、ＭＳ及び高エネルギー衝突解離（ＨＣＤ）を適用する１０連続ＭＳ／ＭＳを自動的に測定した（３４）。ＬＴＱ−Ｏｒｂｉｔｒａｐ完全走査ＭＳスペクトル（１００又は３００〜１６５０ｍ／ｚ）は、４００のｍ／ｚで６０，０００の解像度により得た。
【００８５】
ＰｒＥＳＴ−ＡＢＰペプチドを、上記の記載と同じナノ−ＨＰＬＣ設定を使用して、ＨＣＤオプションを有するＥｘａｃｔｉｖｅ機器（Ｔｈｅｒｍｏ  Ｆｉｓｈｅｒ  Ｓｃｉｅｎｔｉｆｉｃ）によりオンラインで分析した。ペプチドを５〜３０％の直線勾配の緩衝液Ｂにより４０分間かけて溶出した。Ｅｘａｃｔｉｖｅ質量分析機は、前駆イオンの交互ＭＳ走査（３００〜１６００ｍ／ｚ）の実施による全イオン断片化（ＡＩＦ）及び段階的ＨＣＤ断片化を使用する全イオン断片化走査（１００〜１６００ｍ／ｚ）によってペプチドを同定した（２６）。両方の走査は、２００のｍ／ｚで１００，０００の解像度により得た。
【００８６】
データ分析−
得られたデータを、ヒトＩＰＩデータベース（ｖ．３．６８−８７．０８７入力）を使用するＭａｘＱｕａｎｔ（２７）（バージョン１．１．１．３６）で分析した。一般的な汚染物及びＡＢＰ溶解性タグの配列を、これらのデータベースに加えた。ペプチドの同定には、ＭａｘＱｕａｎｔフレームワークに組み込まれた確率検索エンジンであるＡｎｄｒｏｍｅｄａを使用した（２８）。システインのカルバミドメチル化は、固定修飾として検索に含まれ、メチオニン酸化とＮ末端アセチル化は変動修飾として含まれた。２つの切断欠損を許容し、同定されたペプチド１個あたり最低６個のアミノ酸を必要とした。前駆イオン又はフラグメントイオンの初期質量許容度は、６ｐｐｍに設定され、フラグメント質量は、０．５Ｔｈまでの逸脱を許容した。得られたデータの統計的評価では、事後誤差の確率及び偽発見率（ＦＤＲ）を使用した。ＦＤＲを、リバース（reverse）データベースを検索することにより決定し、ペプチド同定のために０．０１に設定した。
【００８７】
ＡＩＦデータは、５０ピークまで１００ｍ／ｚあたり１５ｐｐｍの許容度で分析した以外は、上記に記載されたとおりに処理した。前駆イオン質量は、少なくとも０．６のコサイン相関値に基づいて可能性のあるフラグメントイオン候補と一致させた（２６）。
【００８８】
酵素結合免疫吸着物アッセイ−
がん原遺伝子ｃ−Ｆｏｓ及びＳｔｒａｔｉｆｉｎ（１４−３−３σ）の絶対量測定をＥＬＩＳＡにより実施した。キットをＵＳＣＮＫ  Ｌｉｆｅ  Ｓｃｉｅｎｃｅから購入し、製造会社の使用説明書に従って実施した。ＨｅＬａ細胞を、ＰＢＳのＲＩＰＡ１（５０ｍＭのＴｒｉｓ  ｐＨ７．５、１５０ｍＭのＮａＣｌ、１％のＮＰ−４０）又はＲＩＰＡ２（５０ｍＭのＴｒｉｓ  ｐＨ７．５、１５０ｍＭのＮａＣｌ、１％のＮＰ−４０；０．１％のＳＤＳ）においてプロテアーゼインヒビターを用いて溶解した。細胞を、Ｂｉｏｒｕｐｔｅｒを使用した３回の凍結融解サイクル及び超音波処理により破壊させた。ＥＬＩＳＡのため、試料を１：１０に希釈した。蛍光活性を、マイクロプレート読取機（Ｔｅｃａｎ）により測定し、標準曲線により実際の濃度に変換した。
【００８９】
実施例２：ＨｅＬａ細胞におけるタンパク質の絶対定量化
相対定量化と異なり、絶対定量化は、第１に基準の絶対量の測定を必要とし、第２に目的の分析物と比較した基準の相対量を必要とする、２工程プロセスとして実施することができる。基準のレベルの決定、続く制御は、決して些細なことではなく、手法の全体的な精度を制限する工程と容易になりうる。下記に、高い精度で各ＰｒＥＳＴの絶対量を決定する一般的方法を最初に記載する。
次に、異なるＰｒＥＳＴの「マスターミックス」を構築し、ＳＩＬＡＣ−ＰｒＥＳＴ法が細胞タンパク質を正確に定量化する能力を評価する。次に、マスターミックスを適用して、癌細胞株における３７個のタンパク質のコピー数を決定する。最後に、２工程が１つのＬＣ  ＭＳ／ＭＳ分析に組み込まれる、目的の単一タンパク質の定量化のための代替的なワークフローを記載する。
【００９０】
ＰｒＥＳＴ濃度の正確な測定−各ＰｒＥＳＴは、１２０個のアミノ酸の可溶化タグであるアルブミン結合ドメイン（ＡＢＰ）に既に融合している。インシリコにおけるＡＢＰの消化は、６〜３０個のアミノ酸の長さの４０個のトリプシンペプチドをもたらす（付録表１）。重ＳＩＬＡＣ標識型のＡＢＰタンパク質タグを組換え的に発現した。必要であれば、Ｎ末端Ｈｉｓタグ及びＣ末端ＯｎｅＳｔｒｅｐタグに基づいた二重親和性手法を使用して、高度に精製されたタンパク質フラグメントを生成し、完全長のＡＢＰのみが得られることを確実にした。ＡＢＰタンパク質フラグメントの絶対濃度はアミノ酸分析により決定し、この方法はタンパク質定量化の最も正確な方法であるが、比較的大量の高度に精製されたタンパク質にのみ適用可能である。質量分析により判断すると、ＡＢＰへの重ＳＩＬＡＣの組み込みは９９％であり、その純度は約９７％であった（実験手順を参照すること）。これらの２つの要素は補完的な方向で機能するため及び効果の大きさが小さいので、測定されたＡＢＰ濃度をこれらのために調整しなかった。
【００９１】
【表１】
2014520247.tif 000002
【００９２】
ＡＢＰのＬＣ  ＭＳ／ＭＳは、実に多くの容易に検出可能なトリプシンペプチドを明らかにした（下記を参照すること）。Ｐｒｏｔｅｉｎ  Ａｔｌａｓ  Ｐｒｏｊｅｃｔの４３個のＰｒＥＳＴのそれぞれを、図１に概略的に示されているように既知量の標識ＡＢＰと別々に混合して、ＳＩＬＡＣ  ＬＣ−ＭＳ／ＭＳ実験を可能にした。この実験は、それぞれのＰｒＥＳＴに別々のＬＣ  ＭＳ／ＭＳの実施を必要とするので、プロジェクト全体にとって測度制限的になる可能性があった。
【００９３】
したがって、この分析をＶｅｌｏｓ機器ではなく、経済的で強靱なベンチトップＯｒｔｉｔｒａｐ機器により実施することを決めた。Ｅｘａｃｔｉｖｅ機器は、ペプチド前駆体を単離することができず、したがって全イオン断片化（ＡＩＦ）（２６）を１時間実施して、ペプチドを同定した。典型的には、少なくとも８個の標識ＡＢＰペプチドを、ＰｒＥＳＴからの対応するＡＢＰペプチドに対して定量化することができ、ＰｒＥＳＴ定量化に７％の変動係数（ＣＶ）中央値をもたらした（図２Ａ）。
【００９４】
全体的な処理量を制限するＰｒＥＳＴ濃度の測定工程を克服するため、重ＰｒＥＳＴを、自動化チップ系（ＴｒｉＶｅｒｓａ  Ｎａｎｏｍａｔｅ）のスタティックナノエレクトロスプレー（static nanoelectrospray）により測定した。これは、試料の低い消費を使用して、ＡＢＰペプチドの簡単な混合物のより多くの処理量の測定を可能にする。ペプチド比は変動係数中央値５．５％を示し、Ｅｘａｃｔｉｖｅに基づいた測定値７％に対する改善を示した。
【００９５】
重要なことは、特定のＰｒＥＳＴ定量化を、所望の精度が達成されるまでこの段階で繰り返すことができることである。本明細書では、ＰｒＥＳＴ定量化の精度がワークフローの他の工程の精度よりも高いと推定されるので、これは実施しなかった。ＰｒＥＳＴ定量化の結果の幾つかの典型的な例を図２Ｂに示す。同じ量のＰｒＥＳＴが各ＰｒＥＳＴ定量化実験に使用されるので、定量化の精度は、標的タンパク質の細胞存在量又は他の任意の特徴に依存しないことに留意すること。重要なことは、方法が総タンパク質ではなく、ＰｒＥＳＴの濃度を特異的に測定するので、ワークフローにおける定量化精度は、ＰｒＥＳＴの純度にも依存しないことである。
【００９６】
ＰｒＥＳＴマスターミックス及び内在性タンパク質定量化−ＰｒＥＳＴの量を定量化してから、ヒト癌細胞株におけるタンパク質発現レベルの測定に進んだ。便宜上、非標識ＰｒＥＳＴを使用し、重ＳＩＬＡＣ標識ＨｅＬａ細胞に対して定量化した。消化された総細胞溶解産物が数十万のトリプシンペプチドからなるので、単一、又はさらには多数のＰｒＥＳＴの添加は、混合物の全体的な複雑性を変えることはない。上記に確立された定量化量に基づいて、４３個のＰｒＥＳＴを一緒に混合した。初期実験において、ＰｒＥＳＴの等モル混合物を使用し、これを異なる量でＨｅＬａ溶解産物にスパイクした。測定されたＳＩＬＡＣ比は、ＳＩＬＡＣ比が最も正確な定量化範囲内にある、すなわち互いに比較的近接するように、マスターミックスに各ＰｒＥＳＴの適切なレベルを確立した。
【００９７】
４３個全てのＰｒＥＳＴが適切なレベルを有するマスターミックスを、ＳＩＬＡＣ標識細胞の溶解産物にスパイクした。混合物をＦＡＳＰプロトコールに従って消化し、続いてＳＡＸ断片化し、６つのフラクションを得て、それをＬＴＱ  Ｏｒｂｉｔｒａｐ質量分析機により４時間の勾配で別々に測定した。ＰｒＥＳＴマスターミックスにより標的にされた４３個のタンパク質のうち３７個を定量化することができた。
タンパク質を、幾つかのＰｒＥＳＴ誘導ペプチド（平均値３．７、中央値３）により一般的に定量化して、全体的なＣＶ中央値１８％を得た（付録表２）。これらの３７個のタンパク質標的の結果を図３に示し、完全な同定及び定量化情報を、付録表２に記載する。例として、接着タンパク質ＩＱＧＡＰ１を５個のペプチドで定量化し、それぞれほぼ同一の定量化の結果（ＣＶ１０．６％）を得た。ＡＴＰ５Ｂ（ミトコンドリアＡＴＰシンターゼサブユニットベータ）の７個の定量化トリプシンペプチドのうち６個は、非常に近接したＳＩＬＡＣ比を有したが、１個のペプチドは中央値と３８％異なる比を有した。このペプチドは、明らかに異常値であり、その逸脱値は、ＣＶ値を８．２％から２７．２％に上昇させるようにＣＶ値に対して有意に寄与する。しかし、ペプチド値の中央値をタンパク質定量化の基礎にするので、異常ペプチドが、測定されたタンパク質発現値に対して寄与することはほとんどなく、したがってＣＶ値が、この実験において実際に得られる精度を過小評価することはほとんどない。同じ理由で、ＰｒＥＳＴに包含される領域における内在性タンパク質の修飾は、異常値のペプチド比を引き起こしうるが、これは測定されるタンパク質比にほとんど寄与しない。
【００９８】
【表２】
2014520247.tif 000003
2014520247.tif 000004
2014520247.tif 000005
2014520247.tif 000006
2014520247.tif 000007
2014520247.tif 000008
2014520247.tif 000009
2014520247.tif 000010
2014520247.tif 000011
2014520247.tif 000012
2014520247.tif 000013
2014520247.tif 000014
2014520247.tif 000015
2014520247.tif 000016
【００９９】
このタンパク質絶対定量化の工程の精度を独立して評価するため、「制限トリプシンペプチド」（内部ａｒｇ又はｌｙｓを有さない）から決定された比を、１又は２つの欠損トリプシン切断部位を含有するより長い型のペプチドから決定されたものと比較した。これらのペプチドは、ＡＱＵＡのようなペプチド基準に基づいた方法では非常に問題であるが、本発明の測定では、そのようなペプチドから非常に類似した比が測定された。このことは、消化がＰｒＥＳＴ及び内在性タンパク質において同じ様に進行したことを示す（表１）。したがって、不確実性を導入するどころか、ＳＩＬＡＣ−ＰｒＥＳＴ手法において、これらのペプチドは追加的な定量化情報を提供することができる。
【０１００】
【表３】
2014520247.tif 000017
【０１０１】
絶対定量化手順の両方の工程に関連する変動の程度を評価するため、ＰｒＥＳＴ定量化及びマスターミックス生成、並びに標的タンパク質の細胞生存量の測定を含むワークフロー全体を更に２回繰り返した。この分析は、全ての工程と関連する平均値の標準誤差が平均して２４％であることを示した。この値は、優れており、知る限りにおいて、現在まで報告されている細胞発現レベルの最も正確な決定である。さらにより重要なことは、それぞれのタンパク質において、ワークフローのそれぞれの工程の誤差は、個別のＣＶによって直ちに明らかになることである。したがって、全てのタンパク質発現レベル測定値を、測定値の信頼度に従って分類、許容又は棄却することができる。図４は、三重測定によるタンパク質発現決定の典型例を示す。ペプチド比分布をタンパク質平均値の変動と比較すると、マスターミックスの調製が最大の変動に寄与し、一方、ＳＩＬＡＣ比決定に起因する誤差はいくらか低いことが明らかである。したがって、マスターミックスの自動化調製は、将来的に更なる改善をもたらしうる。
【０１０２】
ＨｅＬａ細胞におけるタンパク質コピー数の決定−次に、ＨｅＬａ細胞溶解産物中のタンパク質量の絶対値を使用して、細胞中の対応するコピー数を計算した。ＨｅＬａ細胞数は、細胞カウンターにより自動的に決定した（実験手順を参照すること）。それぞれのＰｒＥＳＴの既知量及び内在性タンパク質に対するこれらのＳＩＬＡＣ比を考慮して、３７個の異なるタンパク質の細胞コピー数を決定した。標準誤差が２５％以内の非常に高い精度の絶対定量化が、３７個のタンパク質のうち３０個で達成された（表２）
【０１０３】
【表４】
2014520247.tif 000018
【０１０４】
細胞コピー数は、非常に僅かなタンパク質においてのみ知られており、したがって、これらのコピー数をタンパク質の既知の機能と関連づけることは興味深い（付録表３）。細胞骨格タンパク質ビメンチンは、中間径フィラメントを形成し、細胞１個あたり２千万コピーの最も存在量のあるタンパク質であった。もう一方の極端な場合では、転写因子及び癌遺伝子ＦＯＳが、本発明のＨｅＬａ細胞試料において約４，０００コピーで存在する。予測されるように、細胞シグナル伝達に関与するタンパク質は、一般に低い値で発現し、例としては、足場因子のマイトジェン活性化タンパク質キナーゼ足場タンパク質１（ＭＡＰ２Ｋ１ＩＰ１）でさえも、僅か１６０，０００コピーで存在する。しかし、１４−３−３アイソフォームのような、一般的なシャペロンのような役割を有する遍在性シグナル伝達因子は、極めて多く発現される（１４−３−３シグマ；２千１百万コピー）。ミトコンドリアリボソームの２つのメンバーは、この細胞株において約２００，０００コピーを有し（Ｌ２３及びＬ５）、一方、３番目（Ｌ３５）は、約５００，０００を有する（全てのリボソームタンパク質サブユニットが等しい化学量論を有するわけではないことに留意すること）。ミトコンドリアゲノムは１３個の遺伝子のみをコードし、したがって、翻訳に関与するタンパク質がそのような多いコピー数を必要とすることは、恐らく驚くべきことである。呼吸鎖のメンバーＡＴＰ５Ｂは、ＨｅＬａ細胞１個あたり約５百万のコピーを有し、プロテアソームの調節成分であるＰＳＭＣ３よりも約５倍多い。Ｔ複合体は、シャペロン系のメンバーであり、予測されるように、非常に多いコピー数（約４百万）を有する。伝統的な酵素である脂肪酸シンターゼは、３４０万コピーで発現し、一方、別の酵素であるアシル補酵素Ａチオエステルヒドロラーゼ（ＡＣＯＴ７）は、約７倍少なく発現する（４５０，０００コピー）。そのような発現数は、代謝経路のモデル設計にとって興味深い。これらは事例であるが、細胞タンパク質の絶対発現レベルについての知識が、細胞におけるそれらの役割の理解に寄与しうることを例示している。
【０１０５】
【表５】
2014520247.tif 000019
【０１０６】
重ＰｒＥＳＴを使用する絶対定量化−上記では、既に発現及び精製されたＰｒＥＳＴを使用し、重ＡＢＰタンパク質及び重ＳＩＬＡＣ標識細胞溶解産物に対して定量化した。細胞株においてコピー数を決定することは好都合であるが、他の適用において、重標識ＰｒＥＳＴを発現することがより適することがあり、次にこれを、組織及び臨床体液試料を含む任意の選択されたプロテオームと混合することができる。非標識試料に絶対定量化手法を適用するため、重ＳＩＬＡＣ標識大腸菌に２８個のＰｒＥＳＴを発現し、精製し、重マスターミックスを調製した。ＰｒＥＳＴレベルの定量化を合理化するため、スタティックナノエレクトロスプレー（Ａｄｖｉｏｎ  ＮａｎｏＭａｔｅ；実施例１を参照すること）を用いる自動設定を開発した。予測されたように、重マスターミックスを通常の非ＳＩＬＡＣ標識細胞にスパイクすると、前の実験と良好な相関関係を有する標的タンパク質の同様に直接的な定量化を可能にした（図７）。タンパク質の同定及び定量化についての詳細な情報を付録表４に提供する。
【０１０７】
【表６】
2014520247.tif 000020
2014520247.tif 000021
2014520247.tif 000022
2014520247.tif 000023
2014520247.tif 000024
2014520247.tif 000025
2014520247.tif 000026
2014520247.tif 000027
【表７】
2014520247.tif 000028
2014520247.tif 000029
【表８】
2014520247.tif 000030
【０１０８】
単一実験における絶対定量化−単一タンパク質標的を定量化するＳＩＬＡＣ−ＰｒＥＳＴ戦略の変形を開発することも望んだ。この場合、タンパク質絶対定量化に関与する２つの実験工程を、図６Ａに概略的に示されているように１つにまとめることができる。正確な既知量のＡＢＰ溶解性タグを、標識ＰｒＥＳＴと一緒に細胞溶解産物に混合した。次に試料のＬＣ−ＭＳ／ＭＳ分析は、軽ＡＢＰ溶解性タグと標識ＰｒＥＳＴ  ＡＢＰペプチドとのＳＩＬＡＣ比を提供する。これらの比は、使用されたＰｒＥＳＴの量を正確に定量化する。同じＬＣ  ＭＳデータは、標識ＰｒＥＳＴペプチドと非標識内在性タンパク質対応物との比も含有する。一緒に、これらの比は、単一実験における内在性タンパク質の絶対量を定量化する。三重ＳＩＬＡＣ標識化は、比がＰｒＥＳＴ構築物の異なる領域、すなわち、一般ＡＢＰ溶解性タグ領域（ＰｒＥＳＴを定量化するため）及びタンパク質特異的ＰｒＥＳＴ領域（内在性タンパク質を定量化するため）に対して決定されるので、この手法では必要ないことに留意すること。
【０１０９】
この定量化のシングルプレックス方法は、ＳＩＬＡＣ標識細胞溶解産物及びＳＩＬＡＣ標識ＡＢＰが非標識ＰｒＥＳＴに対して定量化される、３個の異なるＨｅＬａタンパク質において実施した。図６Ｃに示されているように、三重実験に基づいたこれらの測定において、一致する値が得られた。絶対レベルは、一般に、上記に記載された多重ＰｒＥＳＴ−ＳＥＬＡＣ実験において独立して決定されたコピー数と十分に合致し（平均値の最大差は４０％）、両方の手法の有効性を実証している。
【０１１０】
酵素結合免疫吸着物アッセイ−ＥＬＩＳＡは、絶対量を決定する又はタンパク質レベルを少なくとも再現的に決定する生化学研究における標準的な手法である。したがって、ＳＩＬＡＣ−ＰｒＥＳＴ法をこの確立された技術と比較した。Ｓｔｒａｔｉｆｉｎ（１４−３−３σ）のＥＬＩＳＡアッセイを典型的な条件下−製造会社により推奨されたとおりに濾過細胞溶解産物及びリン酸緩衝食塩水（ＰＢＳ）−で実施すると、ＥＬＩＳＡは、ＭＳが定量化した量の２０％未満を記録した。（１４−３−３アイソフォームによる干渉は、これらのペプチドが異なっているので存在しないことに留意すること）。製造会社の推奨は、ＰＢＳはペレットを可溶化できないというものであった。溶解度は非イオン性洗剤ＮＰ−４０の添加により増加し、これは大部分の試料ペレットを溶解することができた。アニオン性洗剤である低濃度のドデシル硫酸ナトリウム（ＳＤＳ）の添加は、測定されるタンパク質量を有意に増加する更なる改善をもたらした（図８Ｂ）。依然として、絶対量は、質量分光分析と比較して２倍過小評価されており、恐らくそれはＦＡＳＰプロトコールが４％のドデシル硫酸ナトリウムの使用により完全な可溶化を可能にするからである。
【０１１１】
転写因子及びがん原遺伝子ＦＯＳのレベルもＥＬＩＳＡにより調査し、本発明のミックスにおいて定量化される最低存在量のタンパク質であった。ここでは、可溶化は問題になるとは思われず、ＭＳにより決定された及び異なる緩衝液条件を使用するＥＬＩＳＡにより決定された定量化値の間には優れた合致があった（図８Ａ）。
【０１１２】
実施例３：マウスＰｒＥＳＴを使用する絶対定量化
実験手順−Ｎ末端Ｈｉｓタグを融合させたマウスＰｒＥＳＴを、同位体標識13Ｃ615Ｎ2−リシン（Ｌｙｓ８）及び13Ｃ615Ｎ4−アルギニン（Ａｒｇ１０）（Ｃａｍｂｒｉｄｇｅ  Ｉｓｏｔｏｐｅｓ  Ｌａｂｏｒａｔｏｒｉｅｓ）が補充された最小培地の使用により栄養要求性大腸菌株に発現させて、「重」標識タンパク質を得た。細菌を遠心分離により採取し、７Ｍの塩化グアニジウム、４７ｍＭのＮａ2ＨＰＯ4、２．６５ｍＭのＮａＨ2ＰＯ4、１０ｍＭのＴｒｉｓ  ＨＣＬ、３００ｍＭのＮａＣｌ、１０ｍＭのベータ−メルカプトエタノール、ｐＨ８．０で溶解し、Ｈｉｓ融合ＰｒＥＳＴペプチドを、Ｃｏｂａｌｔ  Ｔａｌｏｎカラム（Ｃｌｏｎｔｅｃｈ）で濃縮し、６Ｍの尿素、５０ｍＭのＮａＨ2ＰＯ4、１００ｍＭのＮａＣｌ、３０ｍＭの酢酸、７０ｍＭの酢酸Ｎａ  ｐＨ５で溶出した（２９）。
【０１１３】
血液試料をマウスから取り出して、ヘパリンを含有するチューブに入れた。血液を７０ｇで２回遠心分離し、毎回、血小板豊富血漿（ＰＲＰ）である上澄みを得た。アピラーゼ及びプロスタサイクリン（ＰＧＩ2）をＰＲＰに加えて、血小板凝集を抑制した。試料を遠心分離し、ペレットを１ｍｌのタイロード緩衝液（Ｃａ2+なし、ＢＳＡ、アピラーゼ及びＰＧＩ2含有）で２回洗浄した。最終的にペレットを３００〜４００μｌのタイロード緩衝液に懸濁し、３７℃で３０分間インキュベートした。標準的な血液学的分析を、Ｈｅｍａｖｅｔ  ９５０（Ｄｒｅｗ  Ｓｃｉｅｎｔｉｆｉｃ  Ｉｎｃ．）を使用して実施し、血小板を数えた。
【０１１４】
単離した血小板を４％のＳＤＳ、１００ｍＭのＴｒｉｓ  ｐＨ８．５、１００ｍＭのＤＴＴで溶解し、９５℃で５分間沸騰させ、精製されたＰｒＥＳＴを適切な量で溶解産物に加えた。試料を前に記載したＦＡＳＰ法（３０）に従って調製した。ペプチドを遠心分離により収集し、水で溶出した。ペプチドをＣ１８エムポアステージチップ（empore stage tip）で脱塩し、緩衝液Ｂ（アセトニトリル８０％、酢酸０．５％）で溶出し、有機溶媒をスピードベーシング（speed-vacing）で除去し、試料をＡ*（アセトニトリル２％、酢酸０．５％）に溶解した。ペプチドを、前分画することなく、１．８μｍのＣ１８樹脂（Ｄｒ．Ｍａｉｓｃｈ  ＧｍｂＨ）を充填した内部充填２０ｃｍカラム（内径７５μｍ）に装填し、２００分間の２〜２５％緩衝液Ｂ勾配のＥＡＳＹ−ｎＬＣ  １０００（Ｔｈｅｒｍｏ  Ｆｉｓｈｅｒ  Ｓｃｉｅｎｔｉｆｉｃ）を使用して分離した。分離したペプチドを、ナノエレクトロスプレーイオン供給源（Ｐｒｏｘｅｏｎ  Ｂｉｏｓｙｓｔｅｍｓ）によりＱ  Ｅｘａｃｔｉｖｅ質量分析機（Ｔｈｅｒｍｏ  Ｆｉｓｈｅｒ  Ｓｃｉｅｎｔｉｆｉｃ）に噴霧した。質量分析機は、鑑定走査を得て、最も存在量のある上位１０個のイオンを高エネルギー衝突解離により順次断片化し、ＭＳ／ＭＳ走査を得た。５６，７４３入力を含有するマウスＩＰＩデータベース、バージョン３．６８によりデータを検索した以外は、生データは、実施例１に記載されたＭａｘ  Ｑｕａｎｔソフトウエアを使用して分析した。
【０１１５】
結果−手法を他の種に更に広げるため、マウスタンパク質を標的にするＰｒＥＳＴを設計した。ＰｒＥＳＴは、多くのトリプシンペプチドを生じ、かつ前記測定において質量分析機において観察された多数のペプチドを含む１２５〜２００個のアミノ酸領域を包含するように設計した。それぞれの標的タンパク質において、タンパク質の異なる領域を包含するため及び定量化精度を確実にするために、２個のＰｒＥＳＴを設計した。マウスの血小板におけるインテグリンベータ３、並びにそのコアクチベーターのタリン１及びキンドリン３の発現レベルを測定するために、ＰｒＥＳＴを設計した。ヘテロダイマーインテグリンαＩＩｂβ３の活性化（低親和状態から高親和状態にシフトする）は、血小板接着及び凝集において必須の役割を果たす（３１）。キンドリン３を欠損しているマウスは、重篤な出血を被り、数日内に死亡する。野生型マウス（Ｋｉｎｄ３+/+）、Ｋｉｎｄ３+/n、Ｋｉｎｄ３n/n及びＫｉｎｄ３n/-におけるインテグリンベータ３、タリン１及びキンドリン３の発現レベルを測定した。「ｎ」は、遺伝子のイントロンへのネオマイシンカセットの挿入を示し、キンドリン３のスプライシングに影響を及ぼす。インテグリン活性化の機能性について更に解明するために、野生型マウスにおけるインテグリンベータ３、タリン１及びキンドリン３の化学量論の測定を望んだ。
【０１１６】
インテグリンベータ３及びそのコアクチベーターは、血小板における高存在量のタンパク質であり、Ｉｔｇｂ３は、細胞１個あたり平均して３００，０００コピーを有し、一方、そのコアクチベーターのタリン１は４７０，０００コピーを有し、キンドリン３は、血小板１個あたり平均して４３０，０００コピーを有する（表３、図９ａ）。異なるマウスにおける標的タンパク質のコピー数を、２つの異なるＰｒＥＳＴを使用して二重に測定した。血小板試料間の差は、平均して２０％であったが、ＰｒＥＳＴ間の差は２２％である。キンドリン３の計算では、１個のＰｒＥＳＴだけを考慮し、それは、これが生物学的に興味深い領域を標的にするからであり、キンドリン３のＣ末端は、インテグリンベータ３の細胞質末端と相互作用する。
【０１１７】
細胞１個あたりのコピーの他に、異なるノックアウトにおけるキンドリン３の発現レベルの減少も観察された（図９ｂ）。野生型マウスと比較して、キンドリン３は、予測されたように、Ｋｉｎｄ３+/nマウスでは５０％、Ｋｉｎｄ３n/nマウスでは１５％、Ｋｉｎｄ３n/-マウスでは６％に減少し、この傾向は、Ｍｏｓｅｒら（３２）の観察と合致している。
【０１１８】
【表９】
2014520247.tif 000031
【０１１９】
絶対量を使用して、野生型マウスにおける３個のタンパク質（表２）の化学量論を１：１．５：１．３と決定し、この化学量論情報は、コアクチベーターの結合及びインテグリンの活性化の更なる理解に役立つ。
【０１２０】
【表１０】
2014520247.tif 000032
【先行技術文献】
【非特許文献】
【０１２１】
【非特許文献１】Ｋｅｔｔｅｎｂａｃｈら、ネイチャープロトコール（Nat Protoc.）２０１１年、６：１７５〜８６
【非特許文献２】Ｒｏｓｓら、分子及び細胞のプロテオミクス（Mol. Cell. Proteomics）３、１１５４〜６９、２００４年
【非特許文献３】Ｍｏｏｒｅ及びＳｔｅｉｎ、生化学ジャーナル（J. Biol. Chem.）１７６、３６７〜３８８（１９４８年）
【非特許文献４】Ｍｏｏｒｅ及びＳｔｅｉｎ、生化学ジャーナル（J. Biol. Chem.）１７６、３３７〜３６５（１９４８年）
【０１２２】
更なる参考文献
１．Ａｅｂｅｒｓｏｌｄ，Ｒ．及びＭａｎｎ，Ｍ．（２００３年）質量分析に基づいたプロレオミクス（Mass spectrometry-based proteomics.）ネイチャー（Nature)４２２、１９８〜２０７。
２．Ｃｒａｖａｔｔ，Ｂ．Ｆ．、Ｓｉｍｏｎ，Ｇ．Ｍ．及びＹａｔｅｓ，Ｊ．Ｒ．、第３版（２００７年）質量分析に基づいたプロテオミクスの生物学的影響（The biological impact of massspectrometry-based proteomics.）ネイチャー(Nature)４５０、９９１〜１０００。
３．Ｇｓｔａｉｇｅｒ，Ｍ．及びＡｅｂｅｒｓｏｌｄ，Ｒ．（２００９年）遺伝学、ゲノム学及びネットワーク生物学への質量分析に基づいたプロテオミクスの適用（Applying mass spectrometry-based proteomics to genetics, genomics and network biology．）ネイチャーレビュー遺伝学（Nat Rev Genet）１０、６１７〜６２７。
４．Ｏｎｇ，Ｓ．Ｅ．及びＭａｎｎ，Ｍ．（２００５年）質量分析に基づいたプロレオミクスが定量的に（Mass spectrometry-based proteomics turns quantitative.）ネイチャー生化学（Nature chemical biology)１、２５２〜２６２。
５．Ｂａｃｈｉ，Ａ．及びＢｏｎａｌｄｉ，Ｔ．（２００８年）システム生物学パズルの新たなピースとしての定量的プロテオミクス（Quantitative proteomics as a new piece of the systems biology puzzle.）プロテオミクスジャーナル（J Proteomics）７１、３５７〜３６７。
６．Ｂａｎｔｓｃｈｅｆｆ，Ｍ．、Ｓｃｈｉｒｌｅ，Ｍ．、Ｓｗｅｅｔｍａｎ，Ｇ．、Ｒｉｃｋ，Ｊ．及びＫｕｓｔｅｒ，Ｂ．（２００７年）プロテオミクスの定量的質量分析：批評的総説（Quantitative mass spectrometry in proteomics: a critical review.）分析及び生物分析化学（Anal Bioanal Chem）３８９、１０１７〜１０３１。
７．Ｏｎｇ，Ｓ．Ｅ．、Ｂｌａｇｏｅｖ，Ｂ．、Ｋｒａｔｃｈｍａｒｏｖａ，Ｉ．、Ｋｒｉｓｔｅｎｓｅｎ，Ｄ．Ｂ．、Ｓｔｅｅｎ，Ｈ．、Ｐａｎｄｅｙ，Ａ．及びＭａｎｎ，Ｍ．（２００２年）発現プロテオミクスへの簡素で正確な手法としての、細胞培養液におけるアミノ酸による安定同位体標識化ＳＩＬＡＣ（Stable isotope labeling by amino acids in cell culture, SILAC, as a simple and accurate approach to expression proteomics.）分子及び細胞のプロテオミクス（Mol Cell Proteomics）１、３７６〜３８６。
８．Ｍａｎｎ，Ｍ．（２００６年）ＳＩＬＡＣを使用する機能的及び定量的プロテオミクス（Functional and quantitative proteomics using SILAC.）ネイチャーレビュー分子及び細胞生物学（Nat Rev Mol Cell Biol）７、９５２〜９５８。
９．Ｇｅｉｇｅｒ，Ｔ．、Ｗｉｓｎｉｅｗｓｋｉ，Ｊ．Ｒ．、Ｃｏｘ，Ｊ．、Ｚａｎｉｖａｎ，Ｓ．、Ｋｒｕｇｅｒ，Ｍ．、Ｉｓｈｉｈａｍａ，Ｙ．及びＭａｎｎ，Ｍ．（２０１１年）定量的プロテオミクスにおけるスパイクイン基準としての、細胞培養液におけるアミノ酸による安定同位体標識化の使用（Use of stable isotope labeling by amino acids in cell culture as a spike-in standard in quantitative proteomics.）ネイチャープロトコール（Ｎａｔｕｒｅ  ｐｒｏｔｏｃｏｌｓ）６、１４７〜１５７。
１０．Ｂｒｕｎ，Ｖ．、Ｍａｓｓｅｌｏｎ，Ｃ．、Ｇａｒｉｎ，Ｊ．及びＤｕｐｕｉｓ，Ａ．（２００９年）絶対定量的プロテオミクスにおける同位体希釈戦略（Isotope dilution strategies for absolute quantitative proteomics.）プロテオミクスジャーナル（J Proteomics）７２、７４０〜７４９。
１１．Ｇｅｒｂｅｒ，Ｓ．Ａ．、Ｒｕｓｈ，Ｊ．、Ｓｔｅｍｍａｎ，Ｏ．、Ｋｉｒｓｃｈｎｅｒ，Ｍ．Ｗ．及びＧｙｇｉ，Ｓ．Ｐ．（２００３年）タンデムＭＳによる細胞溶解産物におけるタンパク質及びリンタンパク質の絶対定量化（Absolute quantification of proteins and phosphoproteins from cell lysates by tandem MS.）米国科学アカデミー会報（Proceedings of the National Academy of Sciences of the United States of America）１００、６９４０〜６９４５。
１２．Ｂｅｙｎｏｎ，Ｒ．Ｊ．、Ｄｏｈｅｒｔｙ，Ｍ．Ｋ．、Ｐｒａｔｔ，Ｊ．Ｍ．及びＧａｓｋｅｌｌ，Ｓ．Ｊ．（２００５年）濃縮シグネチャーペプチドの人工ＱＣＡＴタンパク質を使用するプロテオミクスの多重絶対定量化（Multiplexed absolute quantification in proteomics using artificial QCAT proteins of concatenated signature peptides.）ネイチャーメソッド（Nature methods）２、５８７〜５８９。
１３．Ｐｒａｔｔ，Ｊ．Ｍ．、Ｓｉｍｐｓｏｎ，Ｄ．Ｍ．、Ｄｏｈｅｒｔｙ，Ｍ．Ｋ．、Ｒｉｖｅｒｓ，Ｊ．、Ｇａｓｋｅｌｌ，Ｓ．Ｊ．及びＢｅｙｎｏｎ，Ｒ．Ｊ．（２００６年）ＱｃｏｎＣＡＴ遺伝子でコードされた濃縮シグネチャーペプチドを使用するプロテオミクスの多重絶対定量化（Multiplexed absolute quantification for proteomics using concatenated signature peptides encoded by QconCAT genes.）ネイチャープロトコール（Nature protocols）１、１０２９〜１０４３。
１４．Ｂｒｕｎ，Ｖ．、Ｄｕｐｕｉｓ，Ａ．、Ａｄｒａｉｔ，Ａ．、Ｍａｒｃｅｌｌｉｎ，Ｍ．、Ｔｈｏｍａｓ，Ｄ．、Ｃｏｕｒｔ，Ｍ．、Ｖａｎｄｅｎｅｓｃｈ，Ｆ．及びＧａｒｉｎ，Ｊ．（２００７年）同位体標識タンパク質基準：絶対定量的プロテオミクスに向かって（Isotope-labeled protein standards: toward absolute quantitative proteomics.）分子及び細胞のプロテオミクス（Mol Cell Proteomics）６、２１３９〜２１４９。
１５．Ｈａｎｋｅ，Ｓ．、Ｂｅｓｉｒ，Ｈ．、Ｏｅｓｔｅｒｈｅｌｔ，Ｄ．及びＭａｎｎ，Ｍ．（２００８年）複合混合物におけるタンパク質のアトモルレベルまでの精密定量化のための絶対ＳＩＬＡＣ（Absolute SILAC for accurate quantitation of proteins in complex mixtures down to the attomole level.）プロテオーム研究ジャーナル（Journal of proteome research）７、１１１８〜１１３０。
１６．Ｓｉｎｇｈ，Ｓ．、Ｓｐｒｉｎｇｅｒ，Ｍ．、Ｓｔｅｅｎ，Ｊ．、Ｋｉｒｓｃｈｎｅｒ，Ｍ．Ｗ．及びＳｔｅｅｎ，Ｈ．（２００９年）ＦＬＥＸＩＱｕａｎｔ：タンパク質の絶対定量化のため、並びに潜在的に修飾されるペプチドの同時同定及び定量化のための新規ツール（FLEXIQuant: a novel tool for the absolute quantification of proteins, and the simultaneous identification and quantification of potentially modified peptides.）プロテオーム研究ジャーナル（Journal of proteome research）８、２２０１〜２２１０。
１７．Ｋｕｓｔｅｒ，Ｂ．、Ｓｃｈｉｒｌｅ，Ｍ．、Ｍａｌｌｉｃｋ，Ｐ．及びＡｅｂｅｒｓｏｌｄ，Ｒ．（２００５年）プロテオタイプペプチドプローブによるプロテオミクスのスコア付け（Scoring proteomes with proteotypic peptide probes.）ネイチャーレビュー分子及び細胞生物学（Nat Rev Mol Cell Biol）６、５７７〜５８３。
１８．Ｂｅｒｇｌｕｎｄ，Ｌ．、Ｂｊｏｒｌｉｎｇ，Ｅ．、Ｊｏｎａｓｓｏｎ，Ｋ．、Ｒｏｃｋｂｅｒｇ，Ｊ．、Ｆａｇｅｒｂｅｒｇ，Ｌ．、Ａｌ−Ｋｈａｌｉｌｉ  Ｓｚｉｇｙａｒｔｏ，Ｃ．、Ｓｉｖｅｒｔｓｓｏｎ，Ａ．及びＵｈｌｅｎ，Ｍ．（２００８年）系統的抗体生成のための抗原選択における全ゲノムの生物情報学的手法（A whole-genome bioinformatics approach to selection of antigens for systematic antibody generation.）プロテオミクス（Proteomics）８、２８３２〜２８３９。
１９．Ｌａｒｓｓｏｎ，Ｍ．、Ｇｒａｓｌｕｎｄ，Ｓ．、Ｙｕａｎ，Ｌ．、Ｂｒｕｎｄｅｌｌ，Ｅ．、Ｕｈｌｅｎ，Ｍ．、Ｈｏｏｇ，Ｃ．及びＳｔａｈｌ，Ｓ．（２０００年）機能的ゲノム学のツールとしてのｃＤＮＡ産物のハイスループットタンパク質発現（Highthroughput protein expression of cDNA products as a tool in functional genomics.）バイオテクノロジージャーナル（Ｊｏｕｒｎａｌ  ｏｆ  ｂｉｏｔｅｃｈｎｏｌｏｇｙ）８０、１４３〜１５７。
２０．Ａｇａｔｏｎ，Ｃ．、Ｇａｌｌｉ，Ｊ．、Ｈｏｉｄｅｎ  Ｇｕｔｈｅｎｂｅｒｇ，Ｉ．、Ｊａｎｚｏｎ，Ｌ．、Ｈａｎｓｓｏｎ，Ｍ．、Ａｓｐｌｕｎｄ，Ａ．、Ｂｒｕｎｄｅｌｌ，Ｅ．、Ｌｉｎｄｂｅｒｇ，Ｓ．、Ｒｕｔｈｂｅｒｇ，Ｉ．、Ｗｅｓｔｅｒ，Ｋ．、Ｗｕｒｔｚ，Ｄ．、Ｈｏｏｇ，Ｃ．、Ｌｕｎｄｅｂｅｒｇ，Ｊ．、Ｓｔａｈｌ，Ｓ．、Ｐｏｎｔｅｎ，Ｆ．及びＵｈｌｅｎ，Ｍ．（２００３年）ヒト組織における染色体２１遺伝子産物の系統的タンパク質プロファイリングのためのアフィニティープロテオミクス（Affinity proteomics for systematic protein profiling of chromosome 21 gene products in human tissues.）分子及び細胞のプロテオミクス（Mol Cell Proteomics）２、４０５〜４１４。
２１．Ｌｉ，Ｍ．Ｚ．及びＥｌｌｅｄｇｅ，Ｓ．Ｊ．（２００７年）ＳＬＩＣを介して組換えＤＮＡを生成するためのインビトロにおける相同組換えの利用（Harnessing homologous recombination in vitro to generate recombinant DNA via SLIC.）ネイチャーメソッド（Nature methods）４、２５１〜２５６。
２２．Ｓｔｕｄｉｅｒ，Ｆ．Ｗ．（２００５年）高密度振とう培養物における自己誘導によるタンパク質産生（Protein production by auto-induction in high density shaking cultures.）タンパク質発現及び精製（Protein expression and purification）４１、２０７〜２３４。
２３．Ｗｉｓｎｉｅｗｓｋｉ，Ｊ．Ｒ．、Ｚｏｕｇｍａｎ，Ａ．、Ｎａｇａｒａｊ，Ｎ．及びＭａｎｎ，Ｍ．（２００９年）プロテオーム分析のための汎用試料調製法（Universal sample preparation method for proteome analysis.）ネイチャーメソッド（Ｎａｔｕｒｅ  ｍｅｔｈｏｄｓ）６、３５９〜３６２。
２４．Ｗｉｓｎｉｅｗｓｋｉ，Ｊ．Ｒ．、Ｚｏｕｇｍａｎ，Ａ．及びＭａｎｎ，Ｍ．（２００９年）ＦＡＳＰ及びＳｔａｇｅＴｉｐに基づいた断片化の組み合わせは海馬膜プロテオームの徹底的な分析を可能にする（Combination of FASP and StageTip-based fractionation allows in-depth analysis of the hippocampal membrane proteome.）プロテオーム研究ジャーナル（Journal of proteome research）８、５６７４〜５６７８。
２５．Ｒａｐｐｓｉｌｂｅｒ，Ｊ．、Ｉｓｈｉｈａｍａ，Ｙ．及びＭａｎｎ，Ｍ．（２００３年）プロテオミクスにおけるマトリックス支援レーザー脱離／イオン化、ナノエレクトロスプレー及びＬＣ／ＭＳ試料前処理のためのｓｔｏｐ  ａｎｄ  ｇｏ  ｅｘｔｒａｃｔｉｏｎ  ｔｉｐ（Stop and go extraction tips for matrix-assisted laser desorption/ionization, nanoelectrospray, and LC/MS sample pretreatment in proteomics.）分析化学（Analytical chemistry）７５、６６３〜６７０。
２６．Ｇｅｉｇｅｒ，Ｔ．、Ｃｏｘ，Ｊ．及びＭａｎｎ，Ｍ．（２０１０年）全イオン断片化を使用するＯｒｂｉｔｒａｐベンチトップ質量分析機によるプロテオミクス（Proteomics on an Orbitrap benchtop mass spectrometer using all-ion fragmentation.）分子及び細胞のプロテオミクス（Mol Cell Proteomics）９、２２５２〜２２６１。
２７．Ｃｏｘ，Ｊ．及びＭａｎｎ，Ｍ．（２００８年）ＭａｘＱｕａｎｔは高いペプチド同定率、個別化ｐ．ｐ．ｂ．範囲の質量精度及びプロテオーム全域にわたるタンパク質定量化を可能にする（MaxQuant enables high peptide identification rates, individualized p.p.b.-range mass accuracies and proteome-wide protein quantification.）ネイチャーバイオテクノロジー（Nature biotechnology）２６、１３６７〜１３７２。
２８．Ｃｏｘ，Ｊ．、Ｎｅｕｈａｕｓｅｒ，Ｎ．、Ｍｉｃｈａｌｓｋｉ，Ａ．、Ｓｃｈｅｌｔｅｍａ，Ｒ．Ａ．、Ｏｌｓｅｎ，Ｊ．Ｖ．及びＭａｎｎ，Ｍ．（２０１１年）Ａｎｄｒｏｍｅｄａ−ＭａｘＱｕａｎｔ環境に組み込まれたペプチド検索エンジン（Andromeda - a peptide search engine integrated into the MaxQuant environment.）プロテオーム研究ジャーナル（Journal of proteome research）。
２９．Ｔｅｇｅｌ，Ｈ．、Ｓｔｅｅｎ，Ｊ．、Ｋｏｎｒａｄ，Ａ．、Ｎｉｋｄｉｎ，Ｈ．、Ｐｅｔｔｅｒｓｓｏｎ，Ｋ．、Ｓｔｅｎｖａｌｌ，Ｍ．、Ｔｏｕｒｌｅ，Ｓ．、Ｗｒｅｔｈａｇｅｎ，Ｕ．、Ｘｕ，Ｌ．、Ｙｄｅｒｌａｎｄ，Ｌ．、Ｕｈｌｅｎ，Ｍ．、Ｈｏｂｅｒ，Ｓ．及びＯｔｔｏｓｓｏｎ，Ｊ．（２００９年）ハイスループットタンパク質産生−１週間あたり組換えタンパク質を１０個から２８８個に拡大する教示（High-throughput protein production--lessons from scaling up from 10 to 288 recombinant proteins per week.）バイオテクノロジージャーナル（Biotechnol J）４、５１〜５７。
３０．Ｗｉｓｎｉｅｗｓｋｉ，Ｊ．Ｒ．、Ｚｏｕｇｍａｎ，Ａ．、Ｎａｇａｒａｊ，Ｎ．及びＭａｎｎ，Ｍ．（２００９年）プロテオーム分析のための汎用試料調製法（Universal sample preparation method for proteome analysis.）ネイチャーメソッド（Ｎａｔ  Ｍｅｔｈｏｄｓ）６、３５９〜３６２。
３１．Ｍｏｓｅｒ，Ｍ．、Ｌｅｇａｔｅ，Ｋ．Ｒ．、Ｚｅｎｔ，Ｒ．及びＦａｓｓｌｅｒ，Ｒ．（２００９年）インテグリン、タリン及びキンドリンの末端（The tail of integrins, talin, and kindlins.）サイエンス（Science）３２４、８９５〜８９９。
３２．Ｍｏｓｅｒ，Ｍ．、Ｎｉｅｓｗａｎｄｔ，Ｂ．、Ｕｓｓａｒ，Ｓ．、Ｐｏｚｇａｊｏｖａ，Ｍ．及びＦａｓｓｌｅｒ，Ｒ．（２００８年）キンドリン３はインテグリン活性化及び血小板凝集にとって必須である（Kindlin-3 is essential for integrin activation and platelet aggregation.）ネイチャー医薬（Nat Med）１４、２５〜３３０。
３３．Ｍａｔｉｃ，Ｉ．、Ｊａｆｆｒａｙ，Ｅ．Ｇ．、Ｏｘｅｎｈａｍ，Ｓ．Ｋ．、Ｇｒｏｖｅｓ，Ｍ．Ｊ．、Ｂａｒｒａｔｔ，Ｃ．Ｌ．、Ｔａｕｒｏ，Ｓ．、Ｓｔａｎｌｅｙ−Ｗａｌｌ，Ｎ．Ｒ．及びＨａｙ，Ｒ．Ｔ．（２０１１年）絶対ＳＩＬＡＣ適合発現株は臨床試料におけるＳｕｍｏ−２コピー数決定を可能にする（Absolute SILAC-compatible expression strain allows Sumo-2 copy number determination in clinical samples.）プロテオーム研究ジャーナル（J Proteome Res）１０、４８６９〜４８７５。
３４．Ｏｌｓｅｎ，Ｊ．Ｖ．、Ｓｃｈｗａｒｔｚ，Ｊ．Ｃ．、Ｇｒｉｅｐ−Ｒａｍｉｎｇ，Ｊ．、Ｎｉｅｌｓｅｎ，Ｍ．Ｌ．、Ｄａｍｏｃ，Ｅ．、Ｄｅｎｉｓｏｖ，Ｅ．、Ｌａｎｇｅ，Ｏ．、Ｒｅｍｅｓ，Ｐ．、Ｔａｙｌｏｒ，Ｄ．、Ｓｐｌｅｎｄｏｒｅ，Ｍ．、Ｗｏｕｔｅｒｓ，Ｅ．Ｒ．、Ｓｅｎｋｏ，Ｍ．、Ｍａｋａｒｏｖ，Ａ．、Ｍａｎｎ，Ｍ．及びＨｏｒｎｉｎｇ，Ｓ．（２００９年）超高速の配列決定速度を有する二重圧力線形イオントラップＯｒｂｉｔｒａｐ機器（A dual pressure linear ion trap Orbitrap instrument with very high sequencing speed.）分子及び細胞のプロテオミクス（Mol Cell Proteomics）８、２７５９〜２７６９。
【図１】
2014520247.tif 000033
【図２ａ】
2014520247.tif 000034
【図２ｂ】
2014520247.tif 000035
【図３ａ】
2014520247.tif 000036
【図３ｂ】
2014520247.tif 000037
【図３ｃ】
2014520247.tif 000038
【図４】
2014520247.tif 000039
【図５】
2014520247.tif 000040
【図６ａ】
2014520247.tif 000041
【図６ｂ】
2014520247.tif 000042
【図６ｃ】
2014520247.tif 000043
【図７】
2014520247.tif 000044
【図８】
2014520247.tif 000045
【図９】
2014520247.tif 000046
【配列表】
2014520247000001.app
【国際調査報告】
2014520247.tif 000047
2014520247.tif 000048
2014520247.tif 000049
2014520247.tif 000050
2014520247.tif 000051
2014520247.tif 000052
2014520247.tif 000053